(57)【特許請求の範囲】
【請求項１】
遊技制御プログラムを記憶した素子が搭載された制御基板と、複数のボックス構成体を相互に固定することにより形成され、前記制御基板を収容する基板ボックスと、を有する制御基板装置を備えた遊技機において、
前記基板ボックスの内部空間を規定する規定部を複数の領域に区画するように設けられ、前記複数のボックス構成体の固定状態を解除して前記内部空間を開放する場合よりも当該内部空間を開放し易いように切断し易く形成されたボックス側切断部を備えており、
当該ボックス側切断部を切断して、前記内部空間を規定している位置から前記規定部の一部の領域を除去した場合、前記素子の取り外し又は前記制御基板において少なくとも前記素子が搭載された領域の取り外しを可能とする開口が前記基板ボックスに形成される構成であり、
前記ボックス側切断部は、前記規定部において所定の領域をその周囲の領域に対して区画するようにして形成されており、
前記複数のボックス構成体は、前記ボックス側切断部により区画された前記所定の領域と前記制御基板との間に介在する中間構成体を備え、
前記ボックス側切断部を切断して前記所定の領域を除去したとしても、前記基板ボックスに形成される開口と前記制御基板との間には前記中間構成体が介在しており、
前記複数のボックス構成体は、前記規定部を構成し、前記中間構成体を間に挟むようにして設けられた第１構成体と第２構成体を備え、
前記第１構成体及び前記第２構成体は、固定の解除に際してそれら両構成体のうち少なくとも一方の破壊を要するように固定されており、
前記中間構成体は前記第１構成体及び前記第２構成体の両方に対して固定され、前記中間構成体と前記第１構成体との固定解除及び前記中間構成体と前記第２構成体との固定解除を行う場合に前記中間構成体の破壊を要するように構成されており、
前記ボックス側切断部は、前記規定部を前記基板ボックスの内外に貫通する貫通孔が並設されて形成され、
前記中間構成体は、前記制御基板と前記ボックス側切断部との間において、前記ボックス側切断部と対向するように設けられていることを特徴とする遊技機。
【発明の詳細な説明】
【技術分野】
【０００１】
本発明は、遊技機に関するものである。
【背景技術】
【０００２】
遊技機の一種として、例えばパチンコ遊技機やスロットマシン等が知られている。これらの遊技機は、ＣＰＵや遊技に関わる制御プログラムが記憶されたＲＯＭ等の電子部品が実装された制御基板を備えており、その制御基板によって一連の遊技が制御されている。なお、近年においては、ＣＰＵやＲＯＭが１チップ化されて制御基板に実装されたものがある。
【０００３】
この種の遊技機においては、不正な利益を得ることを目的として、制御基板内のＲＯＭ（ＣＰＵやＲＯＭが１チップ化されている場合は当該チップ）を交換し遊技内容を変更したりする等、制御基板に対しての不正行為が数多く報告されており、従来より各種の不正対策が検討されている。
【０００４】
例えば、基板ボックスを構成する複数のボックス構成体を相互に結合するための結合構造（いわゆる、カシメ構造）を持たせたものが知られている（例えば、特許文献１参照）。当該結合構造は、その結合の解除に際して破壊を要するように構成されている。これにより、基板ボックスの開放時にはその破壊による開放履歴を残すことができ、不正に基板ボックスが開放された場合にはそれを発見することが可能となる。
【０００５】
一方、遊技場では外部機関等によって制御基板の検査が行われることがある。したがって、この検査に際しての基板ボックスの開放作業を容易なものとするために、結合構造には脆弱部が積極的に設けられており、当該脆弱部を破壊（切断等）することにより結合構造による結合が解除され、基板ボックスの開放を行えるようにしてある。
【特許文献１】特開２００３−１８０９１７号公報
【発明の開示】
【発明が解決しようとする課題】
【０００６】
しかしながら、上記結合構造を備えた制御基板装置であっても、未だに不正行為が行われることが考えられる。例えば脆弱部の破壊を目立たないようにして行うことが考えられ、そうすると基板ボックスが不正に開放されたことを容易に発見できないおそれがある。
【０００７】
本発明は、上記例示した事情等に鑑みてなされたものであり、遊技場における基板ボックスの開放作業を良好に行えるようにしつつ、基板ボックスを不正に開放させる行為を好適に抑制すること又は当該不正行為が行われた場合にそれを好適に発見することが可能な遊技機を提供することを目的とするものである。
【課題を解決するための手段】
【０００８】
請求項１に記載の遊技機は、遊技制御プログラムを記憶した素子が搭載された制御基板と、複数のボックス構成体を相互に固定することにより形成され、前記制御基板を収容する基板ボックスと、を有する制御基板装置を備えた遊技機において、前記基板ボックスの内部空間を規定する規定部を複数の領域に区画するように設けられ、前記複数のボックス構成体の固定状態を解除して前記内部空間を開放する場合よりも当該内部空間を開放し易いように切断し易く形成されたボックス側切断部を備えており、当該ボックス側切断部を切断して、前記内部空間を規定している位置から前記規定部の一部の領域を除去した場合、前記素子の取り外し又は前記制御基板において少なくとも前記素子が搭載された領域の取り外しを可能とする開口が前記基板ボックスに形成される構成であり、前記ボックス側切断部は、前記規定部において所定の領域をその周囲の領域に対して区画するようにして形成されており、前記複数のボックス構成体は、前記ボックス側切断部により区画された前記所定の領域と前記制御基板との間に介在する中間構成体を備え、前記ボックス側切断部を切断して前記所定の領域を除去したとしても、前記基板ボックスに形成される開口と前記制御基板との間には前記中間構成体が介在しており、前記複数のボックス構成体は、前記規定部を構成し、前記中間構成体を間に挟むようにして設けられた第１構成体と第２構成体を備え、前記第１構成体及び前記第２構成体は、固定の解除に際してそれら両構成体のうち少なくとも一方の破壊を要するように固定されており、前記中間構成体は前記第１構成体及び前記第２構成体の両方に対して固定され、前記中間構成体と前記第１構成体との固定解除及び前記中間構成体と前記第２構成体との固定解除を行う場合に前記中間構成体の破壊を要するように構成されており、前記ボックス側切断部は、前記規定部を前記基板ボックスの内外に貫通する貫通孔が並設されて形成され、前記中間構成体は、前記制御基板と前記ボックス側切断部との間において、前記ボックス側切断部と対向するように設けられていることを特徴とする。
【発明の効果】
【０００９】
本発明によれば、遊技場における基板ボックスの開放作業を良好に行えるようにしつつ、基板ボックスを不正に開放させる行為を好適に抑制すること又は当該不正行為が行われた場合にそれを好適に発見することが可能な遊技機を提供することが可能となる。
【発明を実施するための最良の形態】
【００１０】
はじめに、本実施の形態から抽出され得る発明群を手段ｎ（ｎ＝１，２，３…）として区分して示し、それらを必要に応じて効果等を示しつつ説明する。なお以下においては、理解の容易のため、本実施の形態において対応する構成を括弧書き等で適宜示すが、この括弧書き等で示した具体的構成に限定されるものではない。
【００１１】
手段１．遊技制御プログラムを記憶した素子（ＣＰＵチップ９３）が搭載された制御基板（主制御基板９１等）と、複数のボックス構成体（裏側構成体１０１、表側構成体１０２、中間構成体１０３、コネクタ用プレート１０４等）を相互に固定することにより形成され、前記制御基板を収容する基板ボックス（基板ボックス９２等）と、を有する制御基板装置（主制御装置６３等）を備えた遊技機において、
前記基板ボックスの内部空間を規定する規定部を複数の領域に区画するように設けられ、前記複数のボックス構成体の固定状態を解除して前記内部空間を開放する場合よりも当該内部空間を開放し易いように切断し易く形成されたボックス側切断部（ボックス側切断部１５１等）を備えており、
当該ボックス側切断部を切断して、前記内部空間を規定している位置から前記規定部の一部の領域を除去した場合、前記素子の取り外し又は前記制御基板において少なくとも前記素子が搭載された領域の取り外しを可能とする開口（開口１５４等）が前記基板ボックスに形成されることを特徴とする遊技機。
【００１２】
手段１によれば、基板ボックスにはボックス側切断部が形成されており、当該ボックス側切断部を切断して、内部空間を規定している位置から規定部の一部の領域を除去した場合、遊技制御プログラムを記憶した素子の取り外しを可能とする開口が基板ボックスに形成される。そして、ボックス側切断部は複数のボックス構成体の固定状態を解除する場合よりも切断し易く形成されているため、遊技場において上記素子を基板ボックスから取り出して入念に検査する場合には、その作業を比較的容易に行うことができる。
【００１３】
また、ボックス側切断部を切断して基板ボックスの内部空間を開放させた場合には、当該基板ボックスに開口が形成されるため、仮に上記素子などに不正を行う目的でボックス側切断部を切断して基板ボックスの内部空間が開放されていた場合にはその発見を比較的容易に行うことができる。
【００１４】
さらには、上記のようにボックス側切断部が設けられた構成においては、当該ボックス側切断部によって基板ボックスの内部空間を良好に開放するための機能が果たされているため、複数のボックス構成体の固定に際しては、基板ボックスの内部空間を開放する場合の作業性を考慮する必要がなくなる。したがって、複数のボックス構成体の固定を強固に行うことが可能となる。
【００１５】
なお、「前記基板ボックスの内部空間を規定する規定部」は、基板ボックスの一部又は全部のいずれであってもよい。また、換言すれば、「前記基板ボックスの内部空間を規定する周壁」としてもよく、「前記基板ボックスにおいて当該基板ボックスの内部空間を規定する壁部」としてもよい。
【００１６】
また、「前記素子の取り外しを可能とする開口が前記基板ボックスに形成され」には、当該開口によって素子が露出する構成だけでなく、基板ボックスの内部空間に素子を覆うカバー部を備えた構成においては前記開口によって当該カバー部が露出し、その状態で当該カバー部を除去することが可能となるとともに、当該カバー部を除去することで素子が露出する構成も含まれる。
【００１７】
手段２．手段１において、前記ボックス側切断部は、前記規定部において前記素子と対峙する部位を含んだ領域をその周囲の領域に対して区画するように形成されていることを特徴とする遊技機。
【００１８】
手段２によれば、ボックス側切断部を切断することで、制御基板において素子が搭載された領域を露出させることが可能となる。よって、素子の検査を行う場合の作業性を向上させることができる。
【００１９】
なお、「前記素子と対峙する部位」には、当該部位と素子との間に何ら部材が介在していない構成だけでなく、当該部位と素子との間に所定の部材が介在している構成も含まれる。この所定の部材としては、例えば、基板ボックスの内部空間において素子を覆うカバー部などが含まれる。これは以下も同様である。
【００２０】
手段３．手段１又は２において、前記ボックス側切断部は、当該ボックス側切断部を切断することにより前記基板ボックスに形成される開口が前記制御基板の取り出しを不可とする大きさとなるように形成されていることを特徴とする遊技機。
【００２１】
制御基板装置に対する不正行為としては、制御基板を不正に取得しようとする行為や、制御基板を不正な基板に交換しようとする行為が想定される。この場合に、上記手段１の構成を備え、ボックス側切断部が基板ボックスに設けられた構成においては、当該ボックス側切断部を切断することにより基板ボックスに形成される開口を通じて、制御基板を取り外そうとする行為が想定される。これに対して、手段３によれば、ボックス側切断部を切断したとしても制御基板を取り外すことができないため、上記不正行為を阻止することが可能となる。
【００２２】
手段４．手段３において、前記制御基板は、当該制御基板を複数の領域に区画するようにして設けられ、制御基板における他の部位に比べ切断し易い基板側切断部（基板側切断部１６１）を備えており、
当該基板側切断部を切断することにより、前記制御基板において前記素子が搭載された領域が他の領域に対して分離可能となるとともに、
当該素子が搭載された領域は、前記ボックス側切断部を切断することにより前記基板ボックスに形成される開口を通じて前記基板ボックスから取り出し可能な大きさに設定されていることを特徴とする遊技機。
【００２３】
上記手段３の構成を備え、ボックス側切断部を切断したとしても制御基板を取り外すことができないようにした構成において、制御基板の検査を行うために素子が搭載された領域を基板ボックスの外部に取り出すことが必要となることがある。この場合に、手段４によれば、制御基板には基板側切断部が形成されており、当該基板側切断部を切断することにより制御基板において素子が搭載された領域を基板ボックスの外部に取り出すことができる。そして、基板側切断部は制御基板における他の領域に比べ切断し易く形成されている。よって、当該検査の作業性を向上させることができる。
【００２４】
手段５．手段４において、前記ボックス側切断部は、前記規定部において、前記基板側切断部と対峙する部位の全体を含んだ領域をその周囲の領域に対して区画するように形成されていることを特徴とする遊技機。
【００２５】
手段５によれば、ボックス側切断部を切断して基板ボックスに開口を形成することにより、基板側切断部の全体が露出することとなる。よって、基板側切断部を切断する場合の作業性を向上させることができる。
【００２６】
手段６．手段４又は５において、前記制御基板の配線パターン（配線パターン１６４）は、当該配線パターンの一部を構成する配線（配線１６５）が前記基板側切断部の一部を跨ぐようにして形成されていることを特徴とする遊技機。
【００２７】
上記手段４の構成を備え、基板側切断部を備えた構成においては、基板側切断部を切断して、制御基板において素子が搭載された領域を基板ボックスから取り出し、その取り出した領域に対して不正を施した後に、当該領域を元の位置に戻す行為が想定される。これに対して、手段６によれば、基板側切断部を切断した場合には制御基板の配線パターンが断線されることとなる。これにより、基板側切断部の切断後には制御基板を動作不可なものとすることが可能となり、上記不正行為を阻止することが可能となる。
【００２８】
手段７．手段４乃至６のいずれか１において、前記制御基板における前記基板側切断部により区画された基板側除去領域（基板側除去領域１６３）は、前記基板側切断部を切断し元の位置から除去した後において当該元の位置にて固定する上で用いられる固定部（仮固定用貫通孔１７２）を備えていることを特徴とする遊技機。
【００２９】
遊技場において基板側切断部を切断して素子が搭載された領域を検査した後に、その検査済みの制御基板装置を再度遊技機メーカなどにて検査してもらうために搬送することが考えられる。この場合に、手段７によれば、基板側除去領域を元の位置にて固定することが可能となり、上記搬送を良好に行うことが可能となる。
【００３０】
手段８．手段１乃至７のいずれか１において、前記基板ボックスにおける前記ボックス側切断部により区画されたボックス側除去領域（ボックス側除去領域１５３）は、前記ボックス側切断部を切断し元の位置から除去した後において当該元の位置にて固定する上で用いられる固定部（ボックス仮固定用ボス１７１）を備えていることを特徴とする遊技機。
【００３１】
遊技場においてボックス側切断部を切断して素子を検査した後に、その検査済みの制御基板装置を再度遊技機メーカなどにて検査してもらうために搬送することが考えられる。この場合に、手段８によれば、ボックス側除去領域を元の位置にて固定することが可能となり、上記搬送を良好に行うことが可能となる。
【００３２】
手段９．手段１乃至８のいずれか１において、前記制御基板装置は、前記内部空間内において前記素子の周囲を覆うカバー部（カバー部１３３）を備えていることを特徴とする遊技機。
【００３３】
上記手段１の構成を備え、ボックス側切断部を備えた構成においては、当該ボックス側切断部の一部を切断することにより形成される隙間を通じて基板ボックスの内部空間内に不正用治具を挿入し、当該不正用治具を素子にアクセスさせる不正行為が想定される。これに対して、手段９によれば、素子は内部空間内においてカバー部により覆われているため、上記不正行為を行いづらくすることが可能とする。
【００３４】
手段１０．手段９において、前記カバー部は、前記制御基板とともに閉空間を形成するものであり、その閉空間内に前記素子が収容されていることを特徴とする遊技機。
【００３５】
手段１０によれば、素子はカバー部と制御基板とにより形成された閉空間内に収容されているため、ボックス側切断部の一部を切断することにより形成される隙間を通じて基板ボックスの内部空間内に不正用治具を挿入し、当該不正用治具を素子にアクセスさせる不正行為を行いづらくすることが可能となる。
【００３６】
手段１１．手段９又は１０において、前記ボックス側切断部は、前記規定部において所定の領域をその周囲の領域に対して区画するようにして形成されており、
前記カバー部は、前記ボックス側切断部により区画された前記所定の領域とは別に形成されていることを特徴とする遊技機。
【００３７】
手段１１によれば、カバー部はボックス側切断部により区画された領域とは別に形成されているため、ボックス側切断部をある程度切断し、当該ボックス側切断部により区画された領域を外側に撓ませたとしても、カバー部はそれに追随することはなく、当該カバー部により素子が収容された状態は維持される。
【００３８】
手段１２．手段９乃至１１のいずれか１において、前記ボックス側切断部は、前記規定部において前記カバー部と対峙する部位を含んだ領域をその周囲の領域に対して区画するように形成されていることを特徴とする遊技機。
【００３９】
手段１２によれば、ボックス側切断部を切断することで、カバー部を露出させることが可能となる。そして、当該カバー部を除去することで素子を露出させることができる。よって、素子の検査を行う場合の作業性を向上させることができる。
【００４０】
手段１３．手段９乃至１２のいずれか１において、前記ボックス側切断部は、前記規定部において所定の領域をその周囲の領域に対して区画するようにして形成されており、
前記カバー部は、前記ボックス側切断部により区画された前記所定の領域と前記制御基板における前記素子が搭載された素子搭載面（素子搭載面９７）との間に位置するように、前記複数のボックス構成体における所定のボックス構成体（中間構成体１０３）に形成されているとともに、当該ボックス構成体のベース部（枠状部１３１）に対して連結部（柱状連結部１３２）を通じて連結されており、
前記ボックス側切断部を切断して前記所定の領域を除去したとしても、前記基板ボックスに形成される開口と前記制御基板との間には前記カバー部が介在していることを特徴とする遊技機。
【００４１】
制御基板装置に対する不正行為としては、制御基板を不正に取得しようとする行為や、制御基板を不正な基板に交換しようとする行為が想定される。この場合に、上記手段１の構成を備え、ボックス側切断部が基板ボックスに設けられた構成においては、当該ボックス側切断部を切断することにより基板ボックスに形成される開口を通じて、制御基板を取り外そうとする行為が想定される。これに対して、手段１３によれば、ボックス側切断部を切断したとしても、当該ボックス側切断部を切断することにより形成された開口と制御基板との間にはカバー部が介在しているため、制御基板を取り外すことができない。よって、上記不正行為を阻止することが可能となる。
【００４２】
手段１４．手段１３において、前記連結部は、柱状に形成されていることを特徴とする遊技機。
【００４３】
手段１４によれば、連結部は柱状に形成されているため、基板ボックス内の内部空間を極力占有しないようにしつつ、上記手段１３における優れた効果を得ることができる。
【００４４】
手段１５．手段１乃至１４のいずれか１において、前記ボックス側切断部は、前記規定部において所定の領域をその周囲の領域に対して区画するようにして形成されており、
前記複数のボックス構成体として、前記ボックス側切断部により区画された前記所定の領域と前記制御基板との間に介在する中間構成体（中間構成体１０３）を備えており、
前記ボックス側切断部を切断して前記所定の領域を除去したとしても、前記基板ボックスに形成される開口と前記制御基板との間には前記中間構成体が介在していることを特徴とする遊技機。
【００４５】
制御基板装置に対する不正行為としては、制御基板を不正に取得しようとする行為や、制御基板を不正な基板に交換しようとする行為が想定される。この場合に、上記手段１の構成を備え、ボックス側切断部が基板ボックスに設けられた構成においては、当該ボックス側切断部を切断することにより基板ボックスに形成される開口を通じて、制御基板を取り外そうとする行為が想定される。これに対して、手段１５によれば、ボックス側切断部を切断したとしても、当該ボックス側切断部を切断することにより形成された開口と制御基板との間には中間構成体が介在しているため、制御基板を取り外すことができない。よって、上記不正行為を阻止することが可能となる。
【００４６】
手段１６．手段１５において、前記複数のボックス構成体として、前記規定部を構成するとともに、前記中間構成体を間に挟むようにして設けられた第１構成体（裏側構成体１０１）と第２構成体（表側構成体１０２）とを備えており、
前記第１構成体及び前記第２構成体は、固定の解除に際してそれら両構成体のうち少なくとも一方の破壊を要するように固定されており、
前記中間構成体は前記第１構成体及び前記第２構成体の両方に対して固定されているとともに、前記中間構成体と前記第１構成体との固定解除及び前記中間構成体と前記第２構成体との固定解除を行う場合に前記中間構成体の破壊を要するように構成されていることを特徴とする遊技機。
【００４７】
制御基板装置に対する不正行為としては、２個の制御基板装置を用意し、一方の制御基板装置から第１構成体を破壊しない状態で取り出し、他方の制御基板装置から第２構成体を破壊しない状態で取り出す行為が想定される。この場合、それぞれ破壊しない状態で取り出した第１構成体と第２構成体とを組み合わせることにより、純正の基板ボックスを得ることが可能となってしまう。そうすると、遊技機の制御基板装置が、上記不正に得た基板ボックスに不正な制御基板を収容させて構成された制御基板装置に交換された場合には、その発見を行うことが困難なものとなってしまう。
【００４８】
これに対して、手段１６によれば、中間構成体が第１構成体及び第２構成体の両方に固定されているとともに、その固定の解除に際しては、中間構成体の破壊を要するように構成されている。したがって、第１構成体を破壊して、第２構成体側を破壊しない状態で取り出そうとしても、中間構成体における第１構成体との固定箇所が破壊されることで当該行為が不可となる。また、第２構成体を破壊して、第１構成体側を破壊しない状態で取り出そうとしても、中間構成体における第２構成体との固定箇所が破壊されることで当該行為が不可となる。よって、上記不正行為を行いづらくすることが可能となる。
【００４９】
手段１７．手段１乃至１６のいずれか１において、前記ボックス側切断部は、前記規定部を前記基板ボックスの内外に貫通する貫通孔（貫通孔１５２）が並設されて形成されていることを特徴とする遊技機。
【００５０】
手段１７によれば、ボックス側切断部を、基板ボックスに貫通孔を形成するという比較的簡素な構成により得ることができる。
【００５１】
手段１８．手段１７において、前記貫通孔により前記基板ボックスの内外の通気性が確保されていることを特徴とする遊技機。
【００５２】
手段１８によれば、ボックス側切断部は、基板ボックスの内部空間を比較的容易に開放させるための機能だけでなく、基板ボックスの通気性を高めるための機能も兼用することとなる。よって、ボックス側切断部の多機能化を図ることができる。
【００５３】
手段１９．手段１７又は１８において、前記基板ボックスは、前記制御基板と前記ボックス側切断部との間において、当該ボックス側切断部と対向する対向部（枠状部１３１）を備えていることを特徴とする遊技機。
【００５４】
上記手段１７の構成を備え、ボックス側切断部が貫通孔により形成された構成においては、当該貫通孔を通じて基板ボックスの内部空間に不正用治具が挿入されてしまうことが想定される。これに対して、手段１９によれば、基板ボックスに対向部が設けられているため、基板ボックスの内部空間への不正用治具の挿入を阻止すること、又は内部空間に挿入されたとしても当該不正用治具が制御基板に到達してしまうことを阻止することが可能となる。
【００５５】
手段２０．手段１９において、前記対向部は、前記貫通孔を通じた前記基板ボックスの内部空間への異物の侵入を規制する範囲内において、前記貫通孔の前記内部空間側の開口から離間されていることを特徴とする遊技機。
【００５６】
手段２０によれば、基板ボックスの通気性を高める機能をボックス側切断部に果たさせつつ、貫通孔を通じた不正行為を阻止することが可能となる。
【００５７】
手段２１．手段２０において、前記対向部は、前記貫通孔と対向する位置に、当該開口側とは反対側に凹んだ有底の凹部（溝部１５５）が形成されていることを特徴とする遊技機。
【００５８】
手段２１によれば、貫通孔を通じて基板ボックスの内部空間に不正用治具が挿入されたとしても、当該不正用治具の先端が対向部の凹部内に入り込むことで、制御基板側に不正用治具の先端を持っていこうとしてもそれが行いづらくなる。
【００５９】
手段２２．遊技制御プログラムを記憶した素子（ＣＰＵチップ９３）が搭載された制御基板（主制御基板９１等）と、複数のボックス構成体（裏側構成体１０１、表側構成体１０２、中間構成体１０３、コネクタ用プレート１０４等）を相互に固定することにより形成され、前記制御基板を収容する基板ボックス（基板ボックス９２等）と、を有する制御基板装置（主制御装置６３等）を備えた遊技機であって、
前記基板ボックスの内部空間を規定する規定部において前記素子と対峙する部位を含む領域を周囲の領域に対して区画するように設けられ、前記複数のボックス構成体の固定状態を解除する場合よりも前記内部空間を開放し易いように切断し易く形成されたボックス側切断部（ボックス側切断部１５１等）を備えており、
当該ボックス側切断部を切断して、前記内部空間を規定している位置から前記ボックス側切断部により区画された領域を除去した場合、前記素子の取り外しを可能とする開口（開口１５４）が前記基板ボックスに形成されることを特徴とする遊技機。
【００６０】
手段２２によれば、基板ボックスにはボックス側切断部が形成されており、当該ボックス側切断部を切断して、内部空間を規定している位置からボックス側切断部により区画された領域を除去した場合、遊技制御プログラムを記憶した素子の取り外しを可能とする開口が基板ボックスに形成される。そして、ボックス側切断部は複数のボックス構成体の固定状態を解除する場合よりも切断し易く形成されているため、遊技場において上記素子を基板ボックスから取り出して入念に検査する場合には、その作業を比較的容易に行うことができる。
【００６１】
また、ボックス側切断部を切断して基板ボックスの内部空間を開放させた場合には、当該基板ボックスに開口が形成されるため、仮に上記素子などに不正を行う目的でボックス側切断部を切断して基板ボックスの内部空間が開放されていた場合にはその発見を比較的容易に行うことができる。
【００６２】
さらには、上記のようにボックス側切断部が設けられた構成においては、当該ボックス側切断部によって基板ボックスの内部空間を良好に開放するための機能が果たされているため、複数のボックス構成体の固定に際しては、基板ボックスの内部空間を開放する場合の作業性を考慮する必要がなくなる。したがって、複数のボックス構成体の固定を強固に行うことが可能となる。
【００６３】
なお、「前記素子の取り外しを可能とする開口が前記基板ボックスに形成され」には、当該開口によって素子が露出する構成だけでなく、基板ボックスの内部空間において素子を覆うカバー部を備えた構成においては前記開口によって当該カバー部が露出し、その状態で当該カバー部を除去することが可能となるとともに、当該カバー部を除去することで素子が露出する構成も含まれる。
【００６４】
手段２３．遊技制御プログラムを記憶した素子（ＣＰＵチップ９３）が搭載された制御基板（主制御基板９１等）と、複数のボックス構成体（裏側構成体１０１、表側構成体１０２、中間構成体１０３、コネクタ用プレート１０４等）を相互に固定することにより形成され、前記制御基板を収容する基板ボックス（基板ボックス９２等）と、を有する制御基板装置（主制御装置６３等）を備えた遊技機であって、
前記基板ボックスの内部空間を規定する規定部において前記制御基板と対峙する領域の一部を周囲の領域に対して区画するように設けられ、前記複数のボックス構成体の固定状態を解除する場合よりも前記内部空間を開放し易いように切断し易く形成されたボックス側切断部（ボックス側切断部１５１等）を備えており、
当該ボックス側切断部を切断して、前記内部空間を規定している位置から前記ボックス側切断部により区画された領域を除去した場合、前記制御基板の全体又は当該制御基板において前記素子が搭載された領域の取り外しを可能とする開口（開口１５４等）が前記基板ボックスに形成されることを特徴とする遊技機。
【００６５】
手段２３によれば、基板ボックスにはボックス側切断部が形成されており、当該ボックス側切断部を切断して、内部空間を規定している位置からボックス側切断部により区画された領域を除去した場合、制御基板の全体又は当該制御基板において上記素子が搭載された領域の取り外しを可能とする開口が基板ボックスに形成される。そして、ボックス側切断部は複数のボックス構成体の固定状態を解除する場合よりも切断し易く形成されているため、遊技場において制御基板の少なくとも上記素子が搭載された領域を基板ボックスから取り出して入念に検査する場合には、その作業を比較的容易に行うことができる。
【００６６】
また、ボックス側切断部を切断して基板ボックスの内部空間を開放させた場合には、当該基板ボックスに開口が形成されるため、仮に制御基板に不正を行う目的でボックス側切断部を切断して基板ボックスの内部空間が開放されていた場合にはその発見を比較的容易に行うことができる。
【００６７】
さらには、上記のようにボックス側切断部が設けられた構成においては、当該ボックス側切断部によって基板ボックスの内部空間を良好に開放するための機能が果たされているため、複数のボックス構成体の固定に際しては、基板ボックスの内部空間を開放する場合の作業性を考慮する必要がなくなる。したがって、複数のボックス構成体の固定を強固に行うことが可能となる。
【００６８】
以下に、以上の各手段を適用し得る各種遊技機の基本構成を示す。
【００６９】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【００７０】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【００７１】
（第１の実施の形態）
以下、遊技機の一種であるパチンコ遊技機（以下、「パチンコ機」という）の第１の実施の形態を、図面に基づいて詳細に説明する。図１はパチンコ機１０を前方から見た斜視図、図２はパチンコ機１０の遊技機本体１２の分解斜視図である。なお、図２では便宜上、パチンコ機１０の遊技領域内の構成を省略している。
【００７２】
パチンコ機１０は、当該パチンコ機１０の外殻を形成する外枠１１と、この外枠１１に対して前方に回動可能（開閉可能）に取り付けられた遊技機本体１２とを有している。なお、パチンコ機１０において外枠１１は必須の構成ではなく、遊技場の島設備に外枠１１が備え付けられた構成としてもよい。
【００７３】
外枠１１は、木製の板材を四辺に連結し構成されるものであって矩形枠状をなしている。パチンコ機１０は、外枠１１を島設備に取り付け固定することにより、遊技場に設置される。なお、外枠１１を合成樹脂やアルミニウム等の金属によって形成することも可能である。
【００７４】
外枠１１の一側部に遊技機本体１２が回動可能に支持されている。具体的には、図１に示すように、外枠１１における上枠部と左枠部との連結部分に上側支持用金具２１が設けられており、さらに外枠１１における下枠部と左枠部との連結部分に下側支持用金具２２が設けられている。これら上側支持用金具２１及び下側支持用金具２２により支持機構が構成され、当該支持機構によって外枠１１に対して遊技機本体１２が回動可能に支持されている。
【００７５】
また、遊技機本体１２には、図２に示すように、その回動先端部に施錠装置２３が設けられており、遊技機本体１２を外枠１１に対して閉鎖状態とした場合には施錠装置２３の鉤部材２４が外枠１１の右枠部の内側面に設けられた鉤受け部にて受けられ、遊技機本体１２の開放が阻止される。一方、パチンコ機１０前面にて露出させて設けられたシリンダ錠２５に対して解錠キーを用いて解錠操作を行うことにより、外枠１１の鉤受け部にて鉤部材２４が受けられた状態が解除され、遊技機本体１２の外枠１１からの開放が可能となる。なお、施錠装置２３は、後述する内枠１３と前扉枠１４との施錠を行う機能も有している。
【００７６】
遊技機本体１２は、ベース体としての内枠１３と、その内枠１３の前方に配置される前扉枠１４と、内枠１３の後方に配置される裏パックユニット１５とを備えている。遊技機本体１２のうち内枠１３が外枠１１に対して回動可能（開閉可能）に支持されている。詳細には、正面視で左側を回動基端側（開閉基端側）とし右側を回動先端側（開閉先端側）として内枠１３が前方へ回動可能とされている。
【００７７】
内枠１３には、前扉枠１４が回動可能（開閉可能）に支持されており、正面視で左側を回動基端側（開閉基端側）とし右側を回動先端側（開閉先端側）として前方へ回動可能とされている。また、内枠１３には、裏パックユニット１５が回動可能（開閉可能）に支持されており、正面視で左側を回動基端側（開閉基端側）とし右側を回動先端側（開閉先端側）として後方へ回動可能とされている。
【００７８】
次に、遊技機本体１２の前面側の構成について説明する。図３は内枠１３の正面図である。
【００７９】
内枠１３は、外形が外枠１１とほぼ同一形状をなす樹脂ベース３１を主体に構成されている。樹脂ベース３１の中央部には略楕円形状の窓孔３２が形成されている。樹脂ベース３１には遊技盤３３が着脱可能に取り付けられている。遊技盤３３は合板よりなり、遊技盤３３の前面に形成された遊技領域が樹脂ベース３１の窓孔３２を通じて内枠１３の前面側に露出した状態となっている。
【００８０】
ここで、遊技盤３３の構成を図４に基づいて説明する。遊技盤３３には、ルータ加工が施されることによって前後方向に貫通する大小複数の開口部が形成されている。各開口部には一般入賞口３４，可変入賞装置３５，作動口３６，スルーゲート３７及び可変表示ユニット３８等がそれぞれ設けられている。一般入賞口３４は、左右にそれぞれ２個ずつ合計４個設けられている。一般入賞口３４、可変入賞装置３５及び作動口３６に遊技球が入ると、それが後述する検知スイッチにより検知され、その検知結果に基づいて所定数の賞球の払い出しが実行される。その他に、遊技盤３３の最下部にはアウト口３９が設けられており、各種入賞口等に入らなかった遊技球はアウト口３９を通って遊技領域から排出される。また、遊技盤３３には、遊技球の落下方向を適宜分散、調整等するために多数の釘４０が植設されていると共に、風車等の各種部材（役物）が配設されている。
【００８１】
可変表示ユニット３８には、作動口３６への入賞をトリガとして図柄を可変表示する図柄表示装置４１が設けられている。また、可変表示ユニット３８には、図柄表示装置４１を囲むようにしてセンターフレーム４２が配設されている。センターフレーム４２の上部には、第１特定ランプ部４３及び第２特定ランプ部４４が設けられている。また、センターフレーム４２の下部及び上部にはそれぞれ保留ランプ部４５，４６が設けられている。下側の保留ランプ部４５は図柄表示装置４１及び第１特定ランプ部４３に対応しており、遊技球が作動口３６を通過した回数は最大４回まで保留され保留ランプ部４５の点灯によってその保留個数が表示されるようになっている。上側の保留ランプ部４６は第２特定ランプ部４４に対応しており、遊技球がスルーゲート３７を通過した回数は最大４回まで保留され保留ランプ部４６の点灯によってその保留個数が表示されるようになっている。
【００８２】
図柄表示装置４１は液晶ディスプレイを備えた液晶表示装置として構成されており、表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組み合わせの図柄が停止表示された場合には、特別遊技状態（以下、大当たりという）が発生することとなる。
【００８３】
第１特定ランプ部４３では、作動口３６への入賞をトリガとして所定の順序で発光色の切り替えが行われ、予め定められた色で停止表示された場合には大当たりが発生する。また、第２特定ランプ部４４では、遊技球のスルーゲート３７の通過をトリガとして所定の順序で発光色の切り替えが行われ、予め定められた色で停止表示された場合には作動口３６に付随する電動役物が所定時間だけ開放状態となる。なお、これら第１特定ランプ部４３及び第２特定ランプ部４４の制御は、後述する主制御装置により行われる。
【００８４】
可変入賞装置３５は、通常は遊技球が入賞できない又は入賞し難い閉状態になっており、大当たりの際に遊技球が入賞しやすい所定の開放状態に切り換えられるようになっている。可変入賞装置３５の開放態様としては、所定時間（例えば３０秒間）の経過又は所定個数（例えば１０個）の入賞を１ラウンドとして、複数ラウンド（例えば１５ラウンド）を上限として可変入賞装置３５が繰り返し開放されるものが一般的である。なお、可変入賞装置３５の駆動制御は、後述する主制御装置により行われる。
【００８５】
遊技盤３３には、内レール部４７と外レール部４８とが取り付けられており、これら内レール部４７と外レール部４８とにより誘導レールが構成され、遊技球発射機構５０から発射された遊技球が遊技領域の上部に案内されるようになっている。
【００８６】
遊技球発射機構５０は、図３に示すように、樹脂ベース３１における窓孔３２の下方に取り付けられている。遊技球発射機構５０は、電磁式のソレノイド５１と、発射レール５２と、球送り機構５３とからなり、ソレノイド５１への電気的な信号の入力により当該ソレノイド５１の出力軸が伸縮方向に移動し、球送り機構５３によって発射レール５２上に置かれた遊技球を遊技領域に向けて打ち出す。
【００８７】
内枠１３の前面側全体を覆うようにして前扉枠１４が設けられている。前扉枠１４には、図１等に示すように、遊技領域のほぼ全域を前方から視認することができるようにした窓部５５が形成されている。窓部５５は、略楕円形状をなし、透明性を有するガラス５６が嵌め込まれている。窓部５５の周囲には、各種ランプ等の発光手段が設けられている。また、左上及び右上の位置には、遊技状態に応じた効果音などが出力されるスピーカ部が設けられている。
【００８８】
前扉枠１４における窓部５５の下方には、手前側へ膨出した上側膨出部５７と下側膨出部５８とが上下に並設されている。上側膨出部５７内側には上方に開口した上皿５７ａが設けられており、下側膨出部５８内側には同じく上方に開口した下皿５８ａが設けられている。上皿５７ａは、後述する払出装置より払い出された遊技球を一旦貯留し、一列に整列させながら後述する遊技球発射機構側へ導くための機能を有する。また、下皿５８ａは、上皿５７ａ内にて余剰となった遊技球を貯留する機能を有する。
【００８９】
下側膨出部５８の右方には、手前側へ突出するようにしてハンドル装置５９が設けられている。ハンドル装置５９が操作されることにより、遊技球発射機構から遊技球が発射される。
【００９０】
次に、遊技機本体１２の背面側の構成について説明する。図５は内枠１３の背面図、図６は裏パックユニット１５の正面図である。
【００９１】
図５に示すように、内枠１３（遊技盤３３）の背面には、主制御装置ユニット６１及び音声ランプ制御装置ユニット６５が搭載されている。
【００９２】
主制御装置ユニット６１は、合成樹脂製の取付台６２を有し、取付台６２に主制御装置６３が搭載されている。主制御装置６３は、遊技の主たる制御を司る機能（主制御回路）と、電源を監視する機能（停電監視回路）とを有する主制御基板を具備している。なお、主制御装置６３の具体的な構成については、後に詳細に説明する。
【００９３】
音声ランプ制御装置ユニット６５は、音声ランプ制御装置６６と、取付台６７とを具備する構成となっており、取付台６７上に音声ランプ制御装置６６が装着されている。音声ランプ制御装置６６は、主制御装置６３からの指示に従い音声やランプ表示、及び図示しない表示制御装置の制御を司る音声ランプ制御基板を具備しており、音声ランプ制御基板が透明樹脂材料等よりなる基板ボックス６８に収容されて構成されている。
【００９４】
裏パックユニット１５は、図６に示すように、裏パック７１を備えており、当該裏パック７１に対して、払出機構部７２及び制御装置集合ユニット７３が取り付けられている。裏パック７１は透明性を有する合成樹脂により形成されており、払出機構部７２などが取り付けられるベース部７４と、パチンコ機１０後方に突出し略直方体形状をなす保護カバー部７５とを有する。
【００９５】
ベース部７４には、その右上部に外部端子板７６が設けられている。外部端子板７６には各種の出力端子が設けられており、これらの出力端子を通じて遊技場側の管理制御装置に対して各種信号が出力される。ベース部７４には、保護カバー部７５を迂回するようにして払出機構部７２が配設されている。すなわち、裏パック７１の最上部には上方に開口したタンク７７が設けられており、タンク７７には遊技場の島設備から供給される遊技球が逐次補給される。タンク７７の下方には、下流側に向けて緩やかに傾斜するタンクレールが連結され、タンクレールの下流側には上下方向に延びるケースレールが連結されている。ケースレールの最下流部には払出装置７８が設けられている。払出装置７８より払い出された遊技球は、当該払出装置７８の下流側に設けられた図示しない払出通路を通じて、上皿５７ａ又は下皿５８ａに排出される。
【００９６】
払出機構部７２には、裏パック基板７９が設置されている。裏パック基板７９には、例えば交流２４ボルトの主電源が供給され、電源スイッチの切替操作により電源ＯＮ又は電源ＯＦＦとされるようになっている。
【００９７】
ベース部７４の下端部には、制御装置集合ユニット７３が取り付けられている。制御装置集合ユニット７３は、横長形状をなす取付台８１を有し、取付台８１に払出制御装置８２と電源及び発射制御装置８３とが搭載されている。これら払出制御装置８２と電源及び発射制御装置８３とは、払出制御装置８２がパチンコ機１０後方となるように前後に重ねて配置されている。
【００９８】
払出制御装置８２は、基板ボックス８４内に払出装置７８を制御する払出制御基板が収容されて構成されている。電源及び発射制御装置８３は、基板ボックス８５内に電源及び発射制御基板が収容されて構成されており、当該基板により、各種制御装置等で要する所定の電力が生成されて出力され、さらに遊技者によるハンドル装置５９の操作に伴う遊技球の打ち出しの制御が行われる。本パチンコ機１０は各種データの記憶保持機能を有しており、万一停電が発生した際でも停電時の状態を保持し、停電からの復帰の際には停電時の状態に復帰できるようになっている。
【００９９】
次に、主制御装置６３の構成を図７〜図９に基づいて詳細に説明する。図７は主制御装置６３の構成を示す斜視図、図８は主制御装置６３を表側から見た斜視図、図９は主制御装置６３を裏側から見た斜視図である。
【０１００】
主制御装置６３は、図８及び図９に示すように、主制御基板９１と基板ボックス９２とを備えており、当該基板ボックス９２内に主制御基板９１が収容されてなる。
【０１０１】
主制御基板９１は、主たる制御を司るＣＰＵ、遊技制御プログラムを記憶したＲＯＭ、遊技の進行に応じた必要なデータを記憶するＲＡＭ等を備えている。本実施の形態では、ＣＰＵ、ＲＯＭ及びＲＡＭがＣＰＵチップ９３に１チップ化されている。また、詳細な説明は省略するが、入出力ドライバ用ＩＣチップ９４及びラッチ用ＩＣチップ９５が搭載されている。また、図示は省略するが、主制御基板９１にはコンデンサや抵抗などの各種素子が搭載されているとともに、複数のコネクタが搭載されている。
【０１０２】
主制御基板９１においてＣＰＵチップ９３などの各種素子やコネクタは全て同一の板面上に搭載されており、ＣＰＵチップ９３を除いて、逆側の板面にて半田付けされている。つまり、主制御基板９１は、一方の板面が素子搭載面９７となっており、他方の板面が半田面９８となっている。なお、半田面９８とは、素子搭載面９７に搭載される各種素子の半田付け部分が設けられた面であるが、当該半田面９８に対して回路パターンが形成されていてもよい。
【０１０３】
ここで、ＣＰＵチップ９３は素子搭載面９７の中央付近に配置されており、さらに素子搭載面９７から起立させて設けられている。さらに、ＣＰＵチップ９３は上記のとおり主制御基板９１に半田付けされておらず、ＣＰＵチップ９３の接続端子が主制御基板９１に差し込まれた状態となっている。つまり、ＣＰＵチップ９３は抜き挿し可能な状態で主制御基板９１に搭載されている。但し、ＣＰＵチップ９３を主制御基板９１に対して半田付けしてもよい。
【０１０４】
基板ボックス９２は、複数のボックス構成体として、裏側構成体（ボックスベース又は裏ケース体）１０１と、表側構成体（ボックスカバー又は表ケース体）１０２と、中間構成体（中間枠体又は中間ケース体）１０３と、コネクタ用プレート（ミドルプレート）１０４と、を備えている。これら裏側構成体１０１、表側構成体１０２、中間構成体１０３及びコネクタ用プレート１０４は、基板ボックス９２内に収容された主制御基板９１の素子搭載面９７及び半田面９８を基板ボックス９２外から視認可能なように透明性を有する材料により形成されている。具体的には、無色透明のポリカーボネート樹脂により形成されているが、これに限定されることはなく、アクリル樹脂等であってもよく、さらには有色透明であってもよい。
【０１０５】
裏側構成体１０１は、図８及び図９に示すように、正面視で方形状、具体的には長方形状をなす略板状に形成されており、平面状に形成された平面部１１１と、当該平面部１１１の周縁を囲むようにして形成された裏側周縁部１１２とが一体形成されてなる。平面部１１１の一方の板面には、当該板面を四角形状、具体的には長方形状に囲む区画枠部１１３が一体形成されている。区画枠部１１３は板面から突出させて形成されている。
【０１０６】
平面部１１１には、図８に示すように、区画枠部１１３により区画された領域の内側及び外側のそれぞれに複数のボス１１４，１１５，１１６が一体形成されており、各ボス１１４〜１１６にはそれぞれネジ孔が形成されている。これらボス１１４〜１１６のうち区画枠部１１３により区画された領域の四隅に形成されたボス１１４は、主制御基板９１を裏側構成体１０１に固定するために用いられるものであり、区画枠部１１３により区画された領域内における他のボス１１５は、主制御基板９１を仮固定するために用いられるものであり、区画枠部１１３により区画された領域の外部に形成されたボス１１６は、表側構成体１０２を仮固定するために用いられるものである。なお、以下の説明では、最初のボス１１４を基板本固定用ボス（基板本固定部）１１４、次のボス１１５を基板仮固定用ボス（基板仮固定部）１１５、最後のボス１１６をボックス仮固定用ボス（ボックス仮固定部）１１６ともいう。
【０１０７】
基板本固定用ボス１１４に対してネジ止めされていることにより、裏側構成体１０１に主制御基板９１が固定されている。主制御基板９１の周縁は裏側構成体１０１の区画枠部１１３と重なっており、さらに主制御基板９１の半田面９８は、平面部１１１において区画枠部１１３により区画された領域と対向している。この場合、主制御基板９１の周縁部と区画枠部１１３とが当接することにより、主制御基板９１と平面部１１１との間に閉空間が形成されるようにしてもよく、一部又は全周に亘って隙間を設けておくようにしてもよい。
【０１０８】
基板本固定用ボス１１４に対する主制御基板９１のネジ止めは、主制御基板９１の素子搭載面９７側から破断ネジ１１７を螺着することにより行われている。ここで、破断ネジ１１７とは、ドライバなどの工具に先端を差込可能な頭部とネジ溝が形成された側との連結部分の強度が低く設定されたものであり、それ以上締めることができない位置において頭部に対して上記工具によりさらに所定の力を加えることにより、上記連結部分が切断され、頭部が分離されるものである。つまり、破断ネジ１１７は、螺着後において、上記工具を用いて緩める方向へ回転させることを不可とするものである。なお、螺着後において主制御基板９１と基板本固定用ボス１１４との結合を緩めることができないようにすることができるのであれば、主制御基板９１と基板本固定用ボス１１４とを結合する固定具（結合手段）は破断ネジ１１７に限定されることはなく周知のワンウェイネジであってもよい。基板本固定用ボス１１４に螺着されている破断ネジ１１７は螺着後において頭部が分離されている。
【０１０９】
基板仮固定用ボス１１５及びボックス仮固定用ボス１１６はそれぞれ、遊技場において主制御基板９１の検査を行う上で基板ボックス９２を開放した後に用いられる。これについては、後に詳細に説明することとし、ここでは説明を省略する。
【０１１０】
上記のように主制御基板９１が一体化された裏側構成体１０１に対して、中間構成体１０３及びコネクタ用プレート１０４が一体化された表側構成体１０２が固定されている。
【０１１１】
詳細には、表側構成体１０２は、図８及び図９に示すように、当該表側構成体１０２の周縁を規定する表側周縁部１２１と、当該表側周縁部１２１から一方に膨出するようにして形成された膨出部１２２とが一体形成されてなる。これら表側周縁部１２１と膨出部１２２とにより、表側構成体１０２は膨出部１２２の膨出側とは反対側に開放された略直方体形状をなしている。また、膨出部１２２は正面視で長方形状をなしており、その一方の長辺側には当該長辺に沿って延びる長孔部１２３が形成されている。当該長孔部１２３は、表側周縁部１２１と膨出部１２２の区画壁１２４とにより周囲が囲まれている。
【０１１２】
長孔部１２３を塞ぐようにして、表側構成体１０２にはその背面側からコネクタ用プレート１０４がネジ止めされている（着脱可能な状態で固定されている）。コネクタ用プレート１０４には、主制御基板９１に設けられた所定のコネクタ群に１対１で対応させて貫通孔１２５が複数形成されている。
【０１１３】
中間構成体１０３は、その外周を規定する矩形枠状の枠状部１３１と、当該枠状部１３１の開口内に設けられ、柱状連結部１３２を介して枠状部１３１に連結されたカバー部１３３とが一体形成されてなる。枠状部１３１は表側構成体１０２の表側周縁部１２１よりも一回り小さく、すなわち膨出部１２２において表側構成体１０２の表面を構成する表面構成部１２６の周縁に沿うようにして形成されている。このように枠状部１３１が形成されていることにより、中間構成体１０３は表側構成体１０２の膨出部１２２内に入り込み可能となっている。
【０１１４】
カバー部１３３は一方に開放された箱状に形成されており、そのカバー部１３３が設けられた位置は、素子搭載面９７におけるＣＰＵチップ９３の搭載位置に対応させて枠状部１３１の開口の中央付近となっている。この場合、カバー部１３３の開口は枠状部１３１の開口方向の一方を向いている。
【０１１５】
カバー部１３３を枠状部１３１に連結する柱状連結部１３２は複数設けられており、各柱状連結部１３２は個別に枠状部１３１とカバー部１３３とを連結している。詳細には、柱状連結部１３２は３本設けられており、そのうちの２本の柱状連結部１３２は、枠状部１３１においてカバー部１３３を挟んで対向する一対の枠部１３１ａ，１３１ｂとカバー部１３３とを連結するようにして設けられている。これら２本の柱状連結部１３２はカバー部１３３を挟んで同一直線上に並んでいる。また、残り１本の柱状連結部１３２は、上記一対の枠部１３１ａ，１３１ｂとは異なる枠部１３１ｃとカバー部１３３とを連結するようにして設けられている。つまり、各柱状連結部１３２は、カバー部１３３を中心としてＴ字状に形成されている。上記のように柱状連結部１３２が形成されていることにより、枠状部１３１の開口を極力閉塞しないようにしつつ、カバー部１３３が枠状部１３１に対して強固に固定されている。
【０１１６】
枠状部１３１の対向する一対の枠部１３１ａ，１３１ｂには、図９に示すように、外方に延出した固定用フランジ１３４が一体形成されている。当該固定用フランジ１３４は複数設けられている。この固定用フランジ１３４に１対１で対応させて、表側構成体１０２の表面構成部１２６の裏側にはネジ孔を有する固定用ボス１３５が一体形成されている。そして、カバー部１３３の開口が表面構成部１２６とは反対側を向き且つ対応する固定用フランジ１３４及び固定用ボス１３５が重なり合うようにして、表側構成体１０２の膨出部１２２内に裏面側から中間構成体１０３が配置されており、その状態で固定用フランジ１３４及び固定用ボス１３５の各組み合わせは表側構成体１０２の裏側からネジ止めされている。このネジ止めは破断ネジ１３６によって行われており、当該破断ネジ１３６は螺着後において頭部が分離されている。なお、破断ネジ１３６に代えて、ワンウェイネジを用いてもよい。
【０１１７】
中間構成体１０３及びコネクタ用プレート１０４が一体化された表側構成体１０２は、主制御基板９１が一体化された裏側構成体１０１に対して、主制御基板９１の素子搭載面９７を覆うようにして組み合わされている。この場合、裏側構成体１０１の裏側周縁部１１２と表側構成体１０２の表側周縁部１２１とが重なり、表側構成体１０２の裏面側への開放部分が裏側構成体１０１により閉塞されている。また、主制御基板９１の素子搭載面９７に搭載された各種素子は、主制御基板９１と表側構成体１０２との間の領域内に収容されている。
【０１１８】
ここで、上記のとおりカバー部１３３が一体形成された中間構成体１０３が表側構成体１０２に固定されており、中間構成体１０３のカバー部１３３内に、素子搭載面９７に搭載されたＣＰＵチップ９３が入り込んでいる。また、カバー部１３３の開口周縁部は素子搭載面９７に当接している。つまり、カバー部１３３と主制御基板９１とにより閉空間が形成されており、当該閉空間内にＣＰＵチップ９３が収容されている（図１０（ａ）参照）。これにより、仮に裏側構成体１０１と表側構成体１０２との境界部分等に不正に隙間を形成し、そこから基板ボックス９２内に針金などの不正用治具が挿入されたとしても、当該不正用治具のＣＰＵチップ９３へのアクセスを阻止することが可能となる。
【０１１９】
カバー部１３３は３本の柱状連結部１３２を介して枠状部１３１に強固に固定されているため、基板ボックス９２の内部空間に挿入した不正用治具を用いてカバー部１３３を動かそうとしても、それが行いづらくなっている。ちなみに、柱状連結部１３２は４本ではなく、３本設けられており、さらに枠状部１３１の開口を極力閉塞しないように柱状に設けられている。よって、中間構成体１０３を設けた構成において、素子搭載面９７における各種素子の配置に関する自由度の低下が抑えられている。
【０１２０】
また、裏側構成体１０１と表側構成体１０２とが組み合わされた状態においては、素子搭載面９７に搭載された所定のコネクタがコネクタ用プレート１０４の対応する貫通孔１２５内に入り込んでいる。そして、この状態ではコネクタは表側構成体１０２の表面側に露出している。主制御基板９１において所定のコネクタの位置は機種毎に変更されることがあり、このような事情において上記のようにコネクタ用プレート１０４を設けることで、機種毎にコネクタ用プレート１０４を変更するだけでよく、表側構成体１０２及び裏側構成体１０１を機種毎に共通化させることができる。
【０１２１】
ちなみに、コネクタ用プレート１０４の貫通孔１２５が形成された板状部１２７は主制御基板９１の素子搭載面９７に重ね合わせられており、コネクタ用プレート１０４の板状部１２７から起立させて設けられた起立部１２８は、膨出部１２２の区画壁１２４に対して当該膨出部１２２の内側において重なり合っている。したがって、上記のようにコネクタ用プレート１０４が設けられた構成において、図７に示すように、コネクタを除いて、主制御基板９１の素子搭載面９７は表側構成体１０２及びコネクタ用プレート１０４により覆われている。
【０１２２】
裏側構成体１０１と表側構成体１０２とは、上記のように組み合わされた状態において相互に固定されている。これにより、所定の内部空間を有する四角箱状（略直方体形状）の基板ボックス９２が形成されており、当該基板ボックス９２の内部空間内に主制御基板９１が収容されている。この場合、主制御基板９１の素子搭載面９７はその全体が、中間構成体１０３及びコネクタ用プレート１０４が一体化された表側構成体１０２と対向しており、主制御基板９１の半田面９８はその全体が、裏側構成体１０１と対向している。
【０１２３】
上記構成の主制御装置６３は、図５に示すように、表側構成体１０２の表面がパチンコ機１０後方を向き、且つコネクタ用プレート１０４が設けられた側の縁部が上側に位置するようにして搭載されている。ちなみに、遊技場への設置状態において遊技機本体１２を外枠１１からパチンコ機１０前方に開放させることにより、遊技機本体１２の背面側が視認可能となる。この場合に、主制御装置６３は遊技機本体１２の背面部を構成しており、さらには上記のとおり表側構成体１０２の表面がパチンコ機１０後方を向いているため、遊技機本体１２を外枠１１に対して開放することで表側構成体１０２の表面が視認可能となる。なお、裏パックユニット１５により主制御装置６３の全部又は一部が後方から覆われた構成としてもよい。この場合であっても、裏パック７１が透明に形成されていることにより、遊技機本体１２を外枠１１に対して開放することで表側構成体１０２の表面が視認可能となる。
【０１２４】
次に、裏側構成体１０１と表側構成体１０２との固定に関する構成について詳細に説明する。表側構成体１０２と裏側構成体１０１との固定手段として、（１）接着剤、（２）カシメ構造、（３）封印シールが設けられている。そこで、これら各固定手段について個別に説明する。
【０１２５】
接着剤は、裏側構成体１０１の裏側周縁部１１２と表側構成体１０２の表側周縁部１２１との境界の全周を埋めるようにして塗布されている。これにより、裏側周縁部１１２と表側周縁部１２１とが接着されており、裏側構成体１０１と表側構成体１０２とが固定されている。また、裏側周縁部１１２と表側周縁部１２１との間の境界が埋められている。これにより、裏側周縁部１１２と表側周縁部１２１との境界部分から基板ボックス９２の内部空間内に不正用治具を挿入しようとしてもそれが行いづらくなっている。
【０１２６】
なお、接着剤としては、裏側構成体１０１と表側構成体１０２とを固定することができるのであれば周知の接着剤を用いることができ、例えば、アクリル樹脂系接着剤、ウレタン樹脂系接着剤、エチレン―酢酸ビニル樹脂系接着剤、エポキシ樹脂系接着剤、シリコーン系接着剤などを用いてもよく、それら接着剤は、反応系、溶液系、水分散系、固形系のいずれであってもよい。
【０１２７】
次に、カシメ構造について説明する。
【０１２８】
カシメ構造は、図９に示すように、裏側構成体１０１に設けられた裏側結合部１４１と、表側構成体１０２に設けられた表側結合部１４２とを備えている。裏側結合部１４１は、裏側構成体１０１の裏側周縁部１１２において一対の対向する辺に対してそれぞれ設けられている。具体的には、裏側結合部１４１は裏側構成体１０１の一の短辺部に対して複数（具体的には２個）設けられているとともに、当該短辺部と対向する短辺部に対して１個設けられている。裏側結合部１４１は平面部１１１に一体形成されており、裏側結合部１４１自身は比較的肉厚に形成されているとともに、裏側結合部１４１と平面部１１１との連結部分に脆弱な部位は形成されていない。
【０１２９】
表側結合部１４２は、上記裏側結合部１４１に１対１で対応させて設けられている。つまり、表側構成体１０２には、各裏側結合部１４１と基板ボックス９２の厚み方向に重なる位置にそれぞれ表側結合部１４２が設けられている。表側結合部１４２は表側周縁部１２１に一体形成されており、表側結合部１４２自身は比較的肉厚に形成されているとともに、表側結合部１４２と表側周縁部１２１との連結部分に脆弱な部位は形成されていない。なお、裏側結合部１４１及び表側結合部１４２の数は、上記のものに限定されることはなく、裏側構成体１０１と表側構成体１０２とを固定することができるのであれば任意である。
【０１３０】
一対の結合部１４１，１４２には、同一軸線上において相互に連通するネジ孔が形成されており、これら連通したネジ孔に対して、表側結合部１４２側から破断ネジ１４３が螺着されている。裏側結合部１４１及び表側結合部１４２の組み合わせは上記のとおり複数組設けられているが、それら全ての組み合わせに対して破断ネジ１４３による結合が行われている。そして、それら破断ネジ１４３は全て頭部が分離されている。なお、破断ネジ１４３に代えて、ワンウェイネジを用いてもよい。
【０１３１】
上記のように裏側結合部１４１及び表側結合部１４２が結合されていることにより、裏側構成体１０１と表側構成体１０２とが分離不可な状態で相互に固定されている。そして、両結合部１４１，１４２を結合している破断ネジ１４３の頭部は分離されているため、当該破断ネジ１４３を緩めることができないようになっている。また、両結合部１４１，１４２は上記のとおり比較的肉厚に形成されており、さらには各構成体１０１，１０２からの分離を行い易くするような脆弱部は形成されていない。よって、両結合部１４１，１４２の結合に伴う、裏側構成体１０１及び表側構成体１０２の固定を解除することは実質的に困難なものとなっている。
【０１３２】
また、両結合部１４１，１４２の結合による両構成体１０１，１０２の固定を解除すべく、両結合部１４１，１４２のうち少なくとも一方を破壊した場合には、その破壊箇所が基板ボックス９２の開放の痕跡として残ることとなる。つまり、基板ボックス９２の開放履歴が残ることとなる。これにより、基板ボックス９２が不正に開放された場合には、それを発見することが可能となる。
【０１３３】
次に、封印シール１４５について説明する。
【０１３４】
図８に示すように、裏側構成体１０１の裏側周縁部１１２において裏側結合部１４１が２個設けられた短辺部には、これら裏側結合部１４１の間に裏側貼付板部１４６が一体形成されているとともに、表側構成体１０２の表側周縁部１２１において裏側貼付板部１４６と基板ボックス９２の厚み方向に重なる位置に表側貼付板部１４７が一体形成されている。
【０１３５】
両貼付板部１４６，１４７には、相互に連通するネジ孔が複数組形成されており、これらネジ孔に対して図示しないネジが螺着されている。なお、当該ネジとしては着脱自在な周知のものが用いられている。上記のようにネジが螺着されていることにより、両貼付板部１４６，１４７が固定されている。そして、当該貼付板部１４６，１４７には、図７に示すように、両者の境界を跨ぐようにして封印シール１４５が貼り付けられている。封印シール１４５は、貼り付けた後に剥がすと粘着剤層が貼付板部１４６，１４７側に残り、再貼付不可となるものである。封印シール１４５が設けられていることにより、基板ボックス９２が不正に開放された場合には、それを発見することが可能となる。
【０１３６】
ちなみに、図７に示すように、両貼付板部１４６，１４７には貼り付けられた封印シール１４５を外側から覆うようにシールカバー１４８が固定されている。当該シールカバー１４８は透明性を有する合成樹脂により形成されており、当該シールカバー１４８を通じて封印シール１４５が視認可能となっている。なお、シールカバー１４８を不具備としてもよい。また、封印シール１４５として、所定のスキャナからの呼出波に応答して、固有のＩＤ情報を含む応答波を発信するＩＣタグを有するものを用いてもよい。
【０１３７】
次に、基板ボックス９２の開放を容易に行うための開放容易化構造について説明する。なお、以下の説明では、図７〜図９に加えて、図１０〜図１２を適宜参照することとする。図１０（ａ）は開放容易化構造を説明するための基板ボックス９２の縦断面図、図１０（ｂ）は開放容易化構造を説明するために基板ボックス９２の正面の一部を拡大して示す説明図である。また、図１１及び図１２は開放容易化構造を説明するための説明図である。
【０１３８】
図７に示すように、表側構成体１０２の表面構成部１２６には、当該表面構成部１２６の所定の領域を区画するようにしてボックス側切断部（ボックス側脆弱部）１５１が形成されている。ボックス側切断部１５１は、表面構成部１２６を基板ボックス９２の内外に貫通するようにして形成された多数（又は複数）の貫通孔１５２により構成されている。
【０１３９】
詳細には、多数の貫通孔１５２は表面構成部１２６の周縁に沿って等間隔で形成されており、当該多数の貫通孔１５２は表面構成部１２６の所定の領域を囲むようにして並んでいる。つまり、ボックス側切断部１５１は、表面構成部１２６の所定の領域を囲む断続的な環状に形成されている。換言すれば、ボックス側切断部１５１として、断続的な環状の切断ガイド線が形成されている。また、ボックス側切断部１５１は矩形枠状、具体的には長方形枠状に形成されている。また、表面構成部１２６においてボックス側切断部１５１により区画された領域は、表面構成部１２６において主制御基板９１のＣＰＵチップ９３及びその周辺と対向する領域となっている。
【０１４０】
ちなみに、ボックス側切断部１５１は表側構成体１０２の金型による成型（射出成型）に際して同時に形成される。つまり、表側構成体１０２の金型にはボックス側切断部１５１の貫通孔１５２を形成するための型が設けられている。この場合に、ボックス側切断部１５１の貫通孔１５２は表側構成体１０２において表面構成部１２６にのみ形成されているため、金型構造の複雑化を招くことなく、ボックス側切断部１５１を有する表側構成体１０２の形成を容易に行うことができる。すなわち、表側構成体１０２は膨出部１２２を有し一方に開放された箱状に形成されているため、金型において成型後の表側構成体１０２の抜き方向は自ずと規定される。この場合に、ボックス側切断部１５１の貫通孔１５２は表面構成部１２６において当該表面構成部１２６の厚み方向に貫通するように形成されているため、表側構成体１０２の上記抜き方向と貫通孔１５２の貫通方向とが同一方向となっている。よって、表側構成体１０２の金型構造が複雑化しないようにすることができる。
【０１４１】
隣り合う貫通孔１５２間の間隔は、ニッパやカッタなどによる工具により、隣り合う貫通孔１５２間の領域を容易に切断可能なように設定されている。これにより、ボックス側切断部１５１は表面構成部１２６において他の部位に比べ脆弱な領域となっている。換言すれば、裏側結合部１４１と表側結合部１４２との結合による裏側構成体１０１と表側構成体１０２との固定状態を、結合部１４１，１４２又は破断ネジ１４３の少なくともいずれかを破壊することで基板ボックス９２の内部空間を開放する場合よりも、当該内部空間の開放を行い易いようにボックス側切断部１５１は切断し易く形成されている。
【０１４２】
ボックス側切断部１５１を全周に亘って切断することにより、図１１及び図１２に示すように、ボックス側切断部１５１により区画されていた領域（以下、ボックス側除去領域１５３ともいう）を表側構成体１０２から除去することが可能となり、除去することで基板ボックス９２の内部空間を開放させることが可能となる。この場合、ボックス側除去領域１５３はその全体が表側構成体１０２から分離され、図１１に示すように、当該表側構成体１０２には矩形状、具体的には長方形状の開口１５４が形成される。なお、当該開口１５４の長辺部は表面構成部１２６の長辺部に沿っており、開口１５４の短辺部は表面構成部１２６の短辺部に沿っている。
【０１４３】
上記ボックス側切断部１５１は中間構成体１０３の枠状部１３１と対向する位置に形成されている。詳細には、図１０（ａ）に示すように、基板ボックス９２の内部空間には中間構成体１０３が収容されており、当該中間構成体１０３の枠状部１３１と対向する位置にボックス側切断部１５１の全ての貫通孔１５２が配置されている。そして、各貫通孔１５２の全体が枠状部１３１と対向している。
【０１４４】
この場合、図１０（ａ）に示すように、各貫通孔１５２における基板ボックス９２の内部空間側の開口は、枠状部１３１に対して離間されている。つまり、各貫通孔１５２は枠状部１３１により閉塞されていない。これにより、ボックス側切断部１５１を形成する貫通孔１５２により基板ボックス９２の通気口としての機能が果たされている。
【０１４５】
但し、各貫通孔１５２と枠状部１３１との間の距離は比較的狭く設定されており、貫通孔１５２を通じて基板ボックス９２内に針金等の不正用治具が挿入されたとしても、当該不正用治具の先端が枠状部１３１に当たり、基板ボックス９２の内部空間へそれ以上侵入させようとしても、それが行いづらくなるようになっている。
【０１４６】
また、図８及び図１０（ａ）に示すように、枠状部１３１においてボックス側切断部１５１と対向する面には主制御基板９１側に凹ませて溝部１５５が形成されている。溝部１５５は主制御基板９１側に底を有するとともに、ボックス側切断部１５１側に向けて開放されるように形成されており、さらに溝部１５５は枠状部１３１の全周に沿って連続させて形成されている。上記のように溝部１５５が形成されていることにより、貫通孔１５２を通じて基板ボックス９２内に針金等の不正用治具が挿入されたとしても、当該不正用治具は枠状部１３１の溝部１５５内に入り込む。そうすると、枠状部１３１を迂回するように不正用治具を侵入させようとしても、それが困難なものとなる。
【０１４７】
ボックス側切断部１５１を切断してボックス側除去領域１５３を除去することにより、上記のとおり基板ボックス９２の内部空間が開放されることとなる。この場合、図１１に示すように、主制御基板９１の素子搭載面９７が露出する。但し、この状態では依然として基板ボックス９２内に中間構成体１０３が内蔵されているため、素子搭載面９７に搭載されたＣＰＵチップ９３は中間構成体１０３のカバー部１３３により覆われた状態となっている。
【０１４８】
ここで、中間構成体１０３を不具備とする又はカバー部１３３をボックス側除去領域１５３に対して一体形成する構成が考えられる。この場合、ボックス側除去領域１５３を除去したタイミングで、ＣＰＵチップ９３を露出させることが可能となる。しかしながら、当該構成においては、ボックス側切断部１５１の一部を切断してボックス側除去領域１５３を外側に撓ませた場合には、当該ボックス側除去領域１５３とともにカバー部１３３が主制御基板９１の素子搭載面９７から離間される方向に移動することとなる。そうすると、ボックス側除去領域１５３を外側に撓ませた状態において基板ボックス９２内に不正用治具を挿入することで、ＣＰＵチップ９３に容易にアクセスすることができてしまう。これに対して、本パチンコ機１０では上記のとおりカバー部１３３がボックス側除去領域１５３とは別に設けられているため、ボックス側除去領域１５３を外側に撓ませたとしても、カバー部１３３が素子搭載面９７から離間されることはなく、上記のようにＣＰＵチップ９３にアクセスされてしまうことを阻止することが可能となる。
【０１４９】
中間構成体１０３のカバー部１３３によりＣＰＵチップ９３が覆われた構成において、ボックス側切断部１５１を切断して表側構成体１０２からボックス側除去領域１５３を除去した後に中間構成体１０３の各柱状連結部１３２を切断することでカバー部１３３を除去することが可能となり、カバー部１３３を除去することでＣＰＵチップ９３が露出することとなる。そして、ＣＰＵチップ９３が露出することで、当該ＣＰＵチップ９３を主制御基板９１から取り外すことが可能となる。
【０１５０】
ちなみに、柱状連結部１３２は、図９に示すように、当該柱状連結部１３２の長さ方向の全体に亘って溝部１５６が形成されており、当該溝部１５６を規定する壁は比較的薄肉に形成されている。したがって、柱状連結部１３２の切断を比較的容易に行うことができるようになっている。特に、当該柱状連結部１３２の切断に際しては、ボックス側切断部１５１を切断する工具を用いて、柱状連結部１３２を切断することができるようになっている。
【０１５１】
一方、主制御基板９１は、ボックス側除去領域１５３の除去及びカバー部１３３の除去を行ったとしても基板ボックス９２内から取り出すことはできない。つまり、主制御基板９１は上述したように裏側構成体１０１に対して破断ネジ１１７を用いて固定されている。また、主制御基板９１の少なくとも長辺部は、ボックス側除去領域１５３の長辺部よりも、すなわちボックス側除去領域１５３を除去することにより基板ボックス９２に形成される開口の長辺部よりも長さ寸法が大きく設定されている。したがって、図１０（ｂ）に示すように、ボックス側除去領域１５３を主制御基板９１側に投影させた場合に当該投影させた領域よりも主制御基板９１の周縁部が外方にはみ出している。そして、主制御基板９１においてはみ出した領域は、少なくとも一対の対向する両端側に存在している。さらにまた、主制御基板９１において両端側にはみ出した領域は、表側構成体１０２の表側周縁部１２１と対向しているとともに、当該表側周縁部１２１と対向している領域に上記破断ネジ１１７による固定部位が存在している。
【０１５２】
上記構成であることにより、ボックス側除去領域１５３の除去及びカバー部１３３の除去を行ったとしても、主制御基板９１を基板ボックス９２内から取り出すことはできない。これにより、上記のように表側構成体１０２にボックス側除去領域１５３を設けた構成において、当該ボックス側除去領域１５３を除去し純正の主制御基板９１を簡単に入手しようとしても、それを行いづらくすることが可能となる。
【０１５３】
主制御基板９１の取り外しが規制された構成において、当該主制御基板９１には、図８及び図１０（ｂ）に示すように、基板側切断部１６１が形成されている。基板側切断部１６１は、主制御基板９１をその厚み方向に貫通するようにして形成された多数（又は複数）の貫通孔１６２により構成されている。
【０１５４】
詳細には、多数の貫通孔１６２は主制御基板９１の周縁に沿って等間隔で形成されており、当該多数の貫通孔１６２は主制御基板９１の所定の領域を囲むようにして並んでいる。つまり、基板側切断部１６１は、主制御基板９１の所定の領域を囲む断続的な環状に形成されている。換言すれば、基板側切断部１６１として、断続的な環状の切断ガイド線が形成されている。また、基板側切断部１６１は矩形枠状、具体的には長方形枠状に形成されている。なお、主制御基板９１に搭載されているＣＰＵチップ９３を含めた各種素子及びコネクタは全て、基板側切断部１６１により区画された領域内に含まれている。
【０１５５】
図８に示すように、基板側切断部１６１により区画された領域（以下、基板側除去領域１６３）の範囲内にＣＰＵチップ９３が設置されているのに対して、破断ネジ１１７による裏側構成体１０１に対する主制御基板９１の固定箇所は基板側除去領域１６３の領域の範囲外にある。また、基板側切断部１６１における隣り合う貫通孔１６２間の間隔は、ニッパやカッタなどによる工具により、隣り合う貫通孔１６２間の領域を容易に切断可能なように設定されている。ちなみに、基板側切断部１６１の貫通孔１６２とボックス側切断部１５１の貫通孔１５２とは同一の開口面積を有しており、さらには基板側切断部１６１における隣り合う貫通孔１６２間の距離はボックス側切断部１５１における隣り合う貫通孔１５２間の距離と同一となっている。したがって、ボックス側切断部１５１を切断する工具を用いて、基板側切断部１６１を切断することができる。なお、ボックス側切断部１５１と基板側切断部１６１とで、それぞれ異なる工具を要する構成としてもよい。
【０１５６】
基板側除去領域１６３は、その面積がボックス側除去領域１５３の面積よりも小さく設定されている。また、基板側除去領域１６３は、図１０（ｂ）に示すように、ボックス側除去領域１５３を主制御基板９１側に投影させた場合に当該投影させた領域の範囲内に含まれるように形成されている。したがって、ボックス側除去領域１５３を除去することにより、基板側除去領域１６３の全体、すなわち基板側切断部１６１の全体が露出することとなる。そして、この状態で、中間構成体１０３の各柱状連結部１３２を枠状部１３１側の根元から切断するとともに、基板側切断部１６１を切断することで、ボックス側除去領域１５３を除去することにより基板ボックス９２に形成された開口１５４を通じて、基板側除去領域１６３を取り出すことができる。この場合、開口１５４を通じて、基板側切断部１６１の全体が露出しているため、当該基板側切断部１６１の切断作業及び基板側除去領域１６３の取り出し作業を行い易くなっている。
【０１５７】
ここで、図１０（ｂ）に示すように、主制御基板９１の少なくとも素子搭載面９７側の配線パターン１６４は、当該配線パターン１６４を構成する一部の配線１６５が基板側切断部１６１を跨ぐようにして形成されている。つまり、配線１６５は、基板側切断部１６１における隣り合う貫通孔１６２間の領域を跨ぐようにして形成されている。したがって、基板側除去領域１６３を基板ボックス９２から取り出すべく、基板側切断部１６１を切断した場合には、主制御基板９１の配線パターン１６４が断線されることとなる。これにより、基板側切断部１６１を切断して基板側除去領域１６３を取り出した後に当該基板側除去領域１６３を元の位置に戻したとしても、配線パターン１６４が断線された状態は維持されるため、主制御基板９１は正常に機能しない。よって、基板側除去領域１６３を基板ボックス９２から取り出して当該基板側除去領域１６３に不正を施した後に元の位置に戻す不正行為が行われたとしても、その際には主制御基板９１が正常に機能しなくなることで、当該不正行為を実質的に無効化させることが可能となる。
【０１５８】
次に、遊技場において検査を行うためにＣＰＵチップ９３を基板ボックス９２内から取り出す場合の作業の様子について説明する。図１３はＣＰＵチップ９３を基板ボックス９２内から取り出す場合の作業の様子を説明するための説明図である。
【０１５９】
遊技場においてＣＰＵチップ９３の検査を行う場合、図１３（ａ）に示すように、遊技機本体１２から主制御装置６３を取り出す。その後、図１３（ｂ）に示すように、表側構成体１０２のボックス側切断部１５１を切断して、ボックス側除去領域１５３を除去する。これにより、基板ボックス９２内が開放され、中間構成体１０３及び主制御基板９１の素子搭載面９７が露出する。
【０１６０】
その後、図１３（ｃ）に示すように、中間構成体１０３の各柱状連結部１３２を切断することにより、カバー部１３３を除去することが可能となり、カバー部１３３を除去することでＣＰＵチップ９３が露出する。この場合、各柱状連結部１３２はボックス側切断部１５１を切断するための工具を用いて切断することができるため、ＣＰＵチップ９３を露出させる作業を比較的容易に行うことができる。ＣＰＵチップ９３は上記のとおり主制御基板９１に対して半田付けされていないため、ＣＰＵチップ９３を素子搭載面９７の向く方向に引き抜くことで、図１３（ｄ）に示すように、ＣＰＵチップ９３を取り出すことができる。これにより、ＣＰＵチップ９３の検査を入念に行うことができる。
【０１６１】
次に、遊技場において検査を行うために主制御基板９１の基板側除去領域１６３を基板ボックス９２内から取り出す場合の作業の様子について説明する。図１４は主制御基板９１の基板側除去領域１６３を基板ボックス９２内から取り出す場合の作業の様子を説明するための説明図である。
【０１６２】
遊技場において主制御基板９１の検査を行う場合、図１４（ａ）に示すように、遊技機本体１２から主制御装置６３を取り出す。その後、図１４（ｂ）に示すように、表側構成体１０２のボックス側切断部１５１を切断して、ボックス側除去領域１５３を除去する。これにより、基板ボックス９２内が開放され、中間構成体１０３及び主制御基板９１の素子搭載面９７が露出する。
【０１６３】
その後、図１４（ｃ）に示すように、中間構成体１０３の各柱状連結部１３２を、枠状部１３１側の根元から切断するとともに、図１４（ｄ）に示すように、主制御基板９１の基板側切断部１６１を切断する。これにより、主制御基板９１の基板側除去領域１６３を取り出すことができ、主制御基板９１における基板側除去領域１６３の領域の検査を入念に行うことができる。この場合、基板側切断部１６１はボックス側切断部１５１及び各柱状連結部１３２を切断するための工具を用いて切断することができるため、基板側除去領域１６３を取り出す作業を比較的容易に行うことができる。
【０１６４】
ここで、上記のようにＣＰＵチップ９３及び基板側除去領域１６３の基板ボックス９２からの取り出しを容易に行うことができるようにした構成においては、その容易化の構造を用いて、ＣＰＵチップ９３又は主制御基板９１の不正目的での取り出しも容易に行うことができてしまう。これに対して、上記のとおりＣＰＵチップ９３の基板ボックス９２からの取り出しに際しては基板ボックス９２からボックス側除去領域１５３を除去する必要があり、当該基板ボックス９２には大きな開口１５４が形成されることとなる。そうすると、ＣＰＵチップ９３の不正目的での取り出しが行われていた場合にはそれを容易に発見することができる。
【０１６５】
また、上記のとおり主制御基板９１の基板ボックス９２からの取り出しに際しては基板ボックス９２からボックス側除去領域１５３を除去する必要があるとともに、基板側切断部１６１を切断して主制御基板９１から基板側除去領域１６３を取り出す必要がある。基板ボックス９２からボックス側除去領域１５３を除去することで当該基板ボックス９２には大きな開口１５４が形成されることとなる。また、主制御基板９１から基板側除去領域１６３を取り出すことで当該主制御基板９１には大きな開口が形成されることとなる。そうすると、主制御基板９１の不正目的での取り出しが行われていた場合には、基板ボックス９２に形成された開口１５４又は主制御基板９１に形成された開口の少なくとも一方を確認することにより、それを容易に発見することができる。
【０１６６】
次に、ＣＰＵチップ９３や主制御基板９１の検査後においてこれらＣＰＵチップ９３や主制御基板９１を基板ボックス９２内に仮収容するための構成について説明する。
【０１６７】
先ず、ＣＰＵチップ９３のみを取り出した後に当該ＣＰＵチップ９３を基板ボックス９２に仮収容するための構成について説明する。
【０１６８】
既に説明したように、裏側構成体１０１には複数のボックス仮固定用ボス１１６が一体形成されており、各ボックス仮固定用ボス１１６にはネジ孔が形成されている。これらボックス仮固定用ボス１１６に１対１で対応させて、基板ボックス９２のボックス側除去領域１５３の四隅には、図１１及び図１２に示すように、ボックス仮固定用ボス１７１が一体形成されている。当該ボックス仮固定用ボス１７１は、ボックス側除去領域１５３の裏面から裏側構成体１０１側に延びており、ネジ孔が形成されている。当該ネジ孔は、ボックス仮固定用ボス１７１を貫通しており、ボックス側除去領域１５３の表側において開口されている。
【０１６９】
ボックス側除去領域１５３及びカバー部１３３を除去してＣＰＵチップ９３を取り出した後は、当該ＣＰＵチップ９３を再度、主制御基板９１に取り付けるとともに、ボックス側除去領域１５３を基板ボックス９２の元の位置に配置する。この場合、裏側構成体１０１の各ボックス仮固定用ボス１１６に対して、ボックス側除去領域１５３のそれぞれ対応するボックス仮固定用ボス１７１が重なり、両ボス１１６，１７１のネジ孔は連通される。そして、この状態において、ボックス側除去領域１５３の表側から破断ネジを螺着することにより、ボックス側切断部１５１は切断されているものの、ＣＰＵチップ９３及び主制御基板９１が基板ボックス９２内に収容された状態となる。
【０１７０】
ここで、遊技場においてＣＰＵチップ９３を基板ボックス９２から取り出して入念に検査した後に、当該ＣＰＵチップ９３を遊技機メーカにおいて再検査を行う場合などがある。この場合としては、ＣＰＵチップ９３の検査結果が異常であり、当該ＣＰＵチップ９３の不正交換などが行われていた場合が考えられる。このような場合に、基板ボックス９２に開口１５４が形成されたまま主制御装置６３が遊技機メーカに搬送される場合を想定すると、搬送途中にＣＰＵチップ９３が破損して当該ＣＰＵチップ９３の再検査を行うことができなくなってしまう可能性がある。これに対して、上記のようにボックス側除去領域１５３により基板ボックス９２の開口１５４を再度閉鎖することで、搬送途中におけるＣＰＵチップ９３の破損の発生が抑制される。
【０１７１】
また、ＣＰＵチップ９３の不正交換を行った不正行為者が、主制御装置６３の遊技機メーカへの搬送途中において正規のＣＰＵチップ９３に再度交換する行為が想定される。これに対して、上記のとおりボックス側除去領域１５３を破断ネジにより螺着することで、ボックス側除去領域１５３を取り外しづらくなり、正規のＣＰＵチップ９３に再度交換しようとする行為を行いづらくすることが可能となる。
【０１７２】
なお、主制御装置６３の遊技機メーカへの搬送途中における不都合として、前者のもののみを想定する場合、ボックス側除去領域１５３の仮固定は破断ネジである必要はなく、着脱自在な周知のネジを用いて行えばよい。
【０１７３】
次に、主制御基板９１の基板側除去領域１６３を取り出した後に当該基板側除去領域１６３を基板ボックス９２に仮収容するための構成について説明する。
【０１７４】
既に説明したように、裏側構成体１０１には複数の基板仮固定用ボス１１５が一体形成されており、各基板仮固定用ボス１１５にはネジ孔が形成されている。これら基板仮固定用ボス１１５に１対１で対応させて、基板側除去領域１６３の四隅には、図８に示すように、仮固定用貫通孔１７２が形成されている。
【０１７５】
ボックス側除去領域１５３及びカバー部１３３を含めた各柱状連結部１３２を除去するとともに、基板側切断部１６１を切断して基板側除去領域１６３を取り出した後は、当該基板側除去領域１６３を裏側構成体１０１上における元の位置に配置する。この場合、裏側構成体１０１の基板仮固定用ボス１１５のネジ孔に対して、ボックス側除去領域１５３のそれぞれ対応する仮固定用貫通孔１７２が連通される。この状態において、基板側除去領域１６３の素子搭載面９７側から破断ネジを螺着することにより、基板側切断部１６１は切断されているものの、裏側構成体１０１に対して基板側除去領域１６３が固定される。その後、既に説明したように、ボックス側除去領域１５３を各ボックス仮固定用ボス１１６，１７１を通じて仮固定することにより、ボックス側切断部１５１は切断されているものの、ＣＰＵチップ９３及び主制御基板９１が基板ボックス９２内に収容された状態となる。
【０１７６】
ここで、遊技場において主制御基板９１の基板側除去領域１６３を基板ボックス９２から取り出して入念に検査した後に、当該基板側除去領域１６３を遊技機メーカにおいて再検査を行う場合などがある。この場合としては、基板側除去領域１６３の検査結果が異常であり、主制御基板９１の不正交換などが行われていた場合が考えられる。このような場合に、基板ボックス９２に開口１５４が形成されたまま主制御装置６３が遊技機メーカに搬送される場合を想定すると、搬送途中に基板側除去領域１６３が破損して当該基板側除去領域１６３の再検査を行うことができなくなってしまう可能性がある。これは、基板ボックス９２内において基板側除去領域１６３が固定されていない場合も同様である。これに対して、上記のように基板側除去領域１６３を裏側構成体１０１に固定するとともに、ボックス側除去領域１５３により基板ボックス９２の開口１５４を再度閉鎖することで、搬送途中における基板側除去領域１６３の破損の発生が抑制される。
【０１７７】
また、主制御基板９１の不正交換を行った不正行為者が、主制御装置６３の遊技機メーカへの搬送途中において正規の基板側除去領域１６３に交換する行為が想定される。これに対して、上記のとおりボックス側除去領域１５３及び基板側除去領域１６３をそれぞれ破断ネジにより螺着することで、ボックス側除去領域１５３及び基板側除去領域１６３を取り外しづらくなり、正規の基板側除去領域１６３に交換しようとする行為を行いづらくすることが可能となる。
【０１７８】
なお、主制御装置６３の遊技機メーカへの搬送途中における不都合として、前者のもののみを想定する場合、ボックス側除去領域１５３及び基板側除去領域１６３の仮固定は破断ネジである必要はなく、着脱自在な周知のネジを用いて行えばよい。
【０１７９】
次に、パチンコ機１０の電気的構成について、図１５のブロック図に基づいて説明する。図１５では、電力の供給ラインを二重線矢印で示し、信号ラインを実線矢印で示す。
【０１８０】
主制御装置６３に設けられた主制御基板９１には、主制御回路２０２と停電監視回路２０３とが内蔵されている。主制御回路２０２には、ＣＰＵチップ９３が搭載されている。ＣＰＵチップ９３には、当該ＣＰＵチップ９３により実行される各種の制御プログラムや固定値データを記憶したＲＯＭ２０５と、そのＲＯＭ２０５内に記憶される制御プログラムの実行に際して各種のデータ等を一時的に記憶するためのメモリであるＲＡＭ２０６と、割込回路やタイマ回路、データ入出力回路などの各種回路が内蔵されている。
【０１８１】
ＣＰＵチップ９３には、入力ポート及び出力ポートがそれぞれ設けられている。ＣＰＵチップ９３の入力側には、主制御基板９１に設けられた停電監視回路２０３、払出制御装置８２に設けられた払出制御基板２１１及びその他図示しないスイッチ群などが接続されている。この場合に、停電監視回路２０３には電源及び発射制御装置８３に設けられた電源及び発射制御基板２１５が接続されており、ＣＰＵチップ９３には停電監視回路２０３を介して電力が供給される。
【０１８２】
一方、ＣＰＵチップ９３の出力側には、停電監視回路２０３、払出制御基板２１１及び中継端子板２１９が接続されている。払出制御基板２１１には、賞球コマンドなどといった各種コマンドが出力される。中継端子板２１９を介して主制御回路２０２から音声ランプ制御装置６６に設けられた音声ランプ制御基板２２１に対して各種コマンドなどが出力される。
【０１８３】
停電監視回路２０３は、主制御回路２０２と電源及び発射制御基板２１５とを中継し、また電源及び発射制御基板２１５から出力される最大電圧である直流安定２４ボルトの電圧を監視する。
【０１８４】
払出制御基板２１１は、払出装置７８により賞球や貸し球の払出制御を行うものである。演算装置であるＣＰＵ２１２は、そのＣＰＵ２１２により実行される制御プログラムや固定値データ等を記憶したＲＯＭ２１３と、ワークメモリ等として使用されるＲＡＭ２１４とを備えている。
【０１８５】
払出制御基板２１１のＣＰＵ２１２には、入出力ポートが設けられている。ＣＰＵ２１２の入力側には、主制御回路２０２、電源及び発射制御基板２１５、及び裏パック基板７９が接続されている。また、ＣＰＵ２１２の出力側には、主制御回路２０２及び裏パック基板７９が接続されている。
【０１８６】
電源及び発射制御基板２１５は、電源部２１６と発射制御部２１７とを備えている。電源部２１６は、例えば、遊技場等における商用電源（外部電源）に接続されている。そして、その商用電源から供給される外部電力に基づいて主制御回路２０２や払出制御基板２１１等に対して各々に必要な動作電力を生成するとともに、その生成した動作電力を二重線矢印で示す経路を通じて主制御回路２０２や払出制御基板２１１等に対して供給する。発射制御部２１７は、遊技球発射機構５０の発射制御を担うものであり、遊技球発射機構５０は所定の発射条件が整っている場合に駆動される。
【０１８７】
音声ランプ制御基板２２１は、表示制御装置２２５を制御するものである。演算装置であるＣＰＵ２２２は、そのＣＰＵ２２２により実行される制御プログラムや固定値データ等を記憶したＲＯＭ２２３と、ワークメモリ等として使用されるＲＡＭ２２４とを備えている。
【０１８８】
音声ランプ制御基板２２１のＣＰＵ２２２には入出力ポートが設けられている。ＣＰＵ２２２の入力側には中継端子板２１９に中継されて主制御回路２０２が接続されており、主制御回路２０２から出力される各種コマンドに基づいて、表示制御装置２２５を制御する。表示制御装置２２５は、音声ランプ制御基板２２１から入力する表示コマンドに基づいて図柄表示装置４１を制御する。
【０１８９】
以上詳述した本実施の形態によれば、以下の優れた効果を奏する。
【０１９０】
主制御装置６３の基板ボックス９２には、ボックス側切断部１５１が形成されており、当該ボックス側切断部１５１を切断して、内部空間を規定している位置からボックス側除去領域１５３を除去した場合、遊技制御プログラムを記憶したＣＰＵチップ９３の取り外しを可能とする開口１５４が基板ボックス９２に形成される。そして、ボックス側切断部１５１は裏側構成体１０１と表側構成体１０２との固定状態を解除する場合よりも切断し易く形成されているため、遊技場においてＣＰＵチップ９３を基板ボックス９２から取り出して入念に検査する場合には、その作業を比較的容易に行うことができる。
【０１９１】
また、ボックス側切断部１５１を切断して基板ボックス９２の内部空間を開放させた場合には、当該基板ボックス９２に開口１５４が形成されるため、仮にＣＰＵチップ９３などに不正を行う目的でボックス側切断部１５１を切断して基板ボックス９２の内部空間が開放されていた場合にはその発見を比較的容易に行うことができる。
【０１９２】
さらには、上記のようにボックス側切断部１５１が設けられた構成においては、当該ボックス側切断部１５１によって基板ボックス９２の内部空間を良好に開放するための機能が果たされている。したがって、裏側構成体１０１と表側構成体１０２の固定に際しては、基板ボックス９２の内部空間を開放する場合の作業性を考慮する必要がなくなる。
【０１９３】
つまり、本実施の形態では、裏側結合部１４１と表側結合部１４２に対して破断ネジ１４３を螺着することにより、両結合部１４１，１４２の結合がその結合解除が行いづらい状態で行われている。そして、従来のパチンコ機のように両結合部１４１，１４２による両構成体１０１，１０２の固定を解除するための積極的な脆弱部は設けられていない。また、裏側構成体１０１と表側構成体１０２との境界部分には接着剤が塗布されており、両構成体１０１，１０２が広範囲に亘って固定されているとともに、その境界部分から不正用治具を挿入しようとしてもそれが行いづらくなっている。さらには、裏側構成体１０１と表側構成体１０２との境界部分を跨ぐようにして封印シール１４５が貼り付けられている。以上のとおり、裏側構成体１０１と表側構成体１０２との固定が強固に行われており、それに伴って、裏側構成体１０１と表側構成体１０２とを不正に分離させようとする行為が行いづらくなっている。
【０１９４】
（第２の実施の形態）
本実施の形態では、主制御装置の基板ボックスについて中間構成体の固定に関する構成が上記第１の実施の形態と異なっている。そこで、以下に本実施の形態における主制御装置２３０の構成を説明する。図１６は本実施の形態における主制御装置２３０の構成を説明するための分解斜視図である。
【０１９５】
主制御装置２３０は、上記第１の実施の形態における主制御装置６３と同様に、主制御基板２３１と基板ボックス２３２とを備えている。また、基板ボックス２３２は、上記第１の実施の形態における基板ボックス９２と同様に、複数のボックス構成体として、裏側構成体２３３と、表側構成体２３４と、中間構成体２３５と、コネクタ用プレート２３６と、を備えている。また、表側構成体２３４には、上記第１の実施の形態における表側構成体１０２と同様に、ボックス側切断部２３７が形成されているとともに、主制御基板２３１には、上記第１の実施の形態における主制御基板９１と同様に、基板側切断部２３８が形成されている。
【０１９６】
但し、本実施の形態における主制御装置２３０では、中間構成体２３５は表側構成体２３４だけでなく裏側構成体２３３にも固定されている。詳細には、中間構成体２３５の枠状部２４１の外周側には、ネジ孔を有する裏用固定部２４２と、同じくネジ孔を有する表用固定部２４３と、が一体形成されている。裏用固定部２４２及び表用固定部２４３はそれぞれ、枠状部２４１の対向する枠部に１個ずつ設けられているが、複数個ずつ設けてもよい。
【０１９７】
裏用固定部２４２はそのネジ孔が、裏側構成体２３３側に向けて開放されており、裏側構成体２３３には裏用固定部２４２と基板ボックス２３２の厚み方向に並ぶ位置に貫通孔２４４が形成されている。この場合、裏用固定部２４２と貫通孔２４４との間には主制御基板２３１が介在しているが、当該主制御基板２３１には裏用固定部２４２と貫通孔２４４との間の空間を遮らないように貫通孔２４５が形成されている。
【０１９８】
中間構成体２３５は、主制御基板２３１が一体化された裏側構成体２３３に対して、裏用固定部２４２のネジ孔と裏側構成体２３３の貫通孔２４４とが同一軸線上に位置するように配置されており、裏側構成体２３３側から裏用固定部２４２のネジ孔に破断ネジ２４６が螺着されている。当該破断ネジ２４６は螺着後において頭部が分離されている。これにより、中間構成体２３５は裏側構成体２３３に固定されており、この固定の解除に際しては基本的に裏用固定部２４２の破壊を要する。
【０１９９】
表用固定部２４３はそのネジ孔が、表側構成体２３４側に向けて開放されており、表側構成体２３４には表用固定部２４３と基板ボックス２３２の厚み方向に並ぶ位置に貫通孔２４７が形成されている。コネクタ用プレート２３６が一体化された表側構成体２３４は、主制御基板２３１及び中間構成体２３５が一体化された裏側構成体２３３に対して、貫通孔２４７と表用固定部２４３のネジ孔とが同一軸線上に位置するように配置されており、表側構成体２３４側から表用固定部２４３のネジ孔に破断ネジ２４８が螺着されている。当該破断ネジ２４８は螺着後において頭部が分離されている。これにより、中間構成体２３５は表側構成体２３４に対しても固定されており、この固定の解除に際しては基本的に表用固定部２４３の破壊を要する。
【０２００】
なお、裏側構成体２３３と表側構成体２３４とは、上記第１の実施の形態における基板ボックス９２と同様に固定されている。
【０２０１】
以上詳述した本実施の形態によれば、上記第１の実施の形態における効果に加え、純正の基板ボックス２３２を不正に得ようとする行為を行いづらくすることが可能となる。
【０２０２】
つまり、主制御装置２３０に対する不正行為としては、２個の主制御装置２３０を用意し、一方の主制御装置２３０から表側構成体２３４及びその付属品を破壊しない状態で取り出し、他方の主制御装置２３０から裏側構成体２３３及びその付属品を破壊しない状態で取り出す行為が想定される。この場合、それぞれ破壊しない状態で取り出した表側構成体２３４側のユニットと裏側構成体２３３側のユニットとを組み合わせることにより、純正の基板ボックス２３２を得ることができてしまう。そうすると、パチンコ機１０の主制御装置２３０が、上記不正に得た基板ボックス２３２に不正なＣＰＵチップ２４９などを収容させて構成された主制御装置２３０に交換された場合には、その発見を行うことが困難なものとなってしまう。
【０２０３】
これに対して、本実施の形態によれば、中間構成体２３５が裏側構成体２３３及び表側構成体２３４の両方に固定されているとともに、その固定の解除に際しては、中間構成体２３５の破壊を要するように構成されている。したがって、裏側構成体２３３のみを破壊して、表側構成体２３４側のユニットを破壊しない状態で取り出そうとしても、中間構成体２３５の裏用固定部２４２が破壊されることで当該行為が不可となる。また、表側構成体２３４のみを破壊して、裏側構成体２３３側のユニットを破壊しない状態で取り出そうとしても、中間構成体２３５の表用固定部２４３が破壊されることで当該行為が不可となる。よって、上記不正行為を行いづらくすることが可能となる。
【０２０４】
なお、中間構成体２３５の裏側構成体２３３に対する固定及び中間構成体２３５の表側構成体２３４に対する固定は、破断ネジ２４６，２４８に限定されることはなく、ワンウェイネジであってもよい。また、ネジではなく、係止具を用いてもよい。例えば、裏用固定部２４２及び表用固定部２４３には係止用孔を形成し、当該係止用孔に係止具を挿入した場合には、係止具の爪が係止用孔の壁に引っ掛かり、当該係止具の離脱が不可となる構成としてもよい。そして、係止具が裏用固定部２４２に挿入されている状態では、中間構成体２３５と裏側構成体２３３との固定が行われるとともに、係止具が表用固定部２４３に挿入されている状態では、中間構成体２３５と表側構成体２３４との固定が行われる構成とする。本構成であっても、裏側構成体２３３や表側構成体２３４の取り出しに際して、中間構成体２３５の破壊が行われるようにすることが可能となる。
【０２０５】
つまり、裏側構成体と、表側構成体と、中間構成体とを備え、中間構成体を裏側構成体及び表側構成体の両方に固定し、さらに裏側構成体と表側構成体との分離に際して少なくとも一方が破壊され、裏側構成体からの中間構成体の分離及び表側構成体からの中間構成体の分離に際して中間構成体が破壊される構成であればよい。なお、純正の基板ボックスの不正取得を抑制するという観点のみに着目するのであれば、表側構成体にボックス側切断部が形成されていなくてもよく、主制御基板に基板側切断部が形成されていなくてもよい。
【０２０６】
（第３の実施の形態）
本実施の形態では、裏側構成体と表側構成体との固定手段の構成の一部が上記第１の実施の形態と異なっている。そこで、以下に本実施の形態における主制御装置２５０の構成を説明する。図１７は本実施の形態における主制御装置２５０の構成を説明するための分解斜視図である。
【０２０７】
主制御装置２５０は、上記第１の実施の形態における主制御装置６３と同様に、主制御基板２５１と基板ボックス２５２とを備えている。また、基板ボックス２５２は、上記第１の実施の形態における基板ボックス９２と同様に、複数のボックス構成体として、裏側構成体２５３と、表側構成体２５４と、中間構成体２５５と、コネクタ用プレート２５６と、を備えている。また、表側構成体２５４には、上記第１の実施の形態における表側構成体１０２と同様に、ボックス側切断部２５７が形成されているとともに、主制御基板２５１には、上記第１の実施の形態における主制御基板９１と同様に、基板側切断部２５８が形成されている。
【０２０８】
但し、本実施の形態における主制御装置２５０では、裏側構成体２５３と表側構成体２５４との長辺部位における固定は接着剤により行われているのではなく、係止部と係止受け部との係止により行われている。
【０２０９】
詳細には、裏側構成体２５３には係止部２６１が一体形成されている。係止部２６１は複数設けられており、それら係止部２６１は裏側構成体２５３の裏側周縁部２６２における上縁及び下縁のそれぞれについて各縁に沿って等間隔で形成されている。この場合、係止部２６１は、上下にそれぞれ６個ずつ形成されているが、複数であればその数は任意である。各係止部２６１は、全て同一形状となるように形成されているとともに、全て同一のサイズに形成されている。
【０２１０】
各係止部２６１は、裏側構成体２５３の裏側周縁部２６２を基端として形成されており、自由端側が裏側構成体２５３の一方の側縁に向けて延びるように途中位置で折り曲げて形成されている。
【０２１１】
上記係止部２６１に対応させて表側構成体２５４には、係止受け部２６３が一体形成されている。当該係止受け部２６３は、表側構成体２５４の表側周縁部２６４における上縁及び下縁のそれぞれにおいて、係止部２６１と１対１で対応させて形成されている。各係止受け部２６３は、表側構成体２５４の裏側から係止部２６１が入り込み可能な空間を有しているとともに、当該空間内に係止部２６１が係止される部位を有している。
【０２１２】
係止部２６１と係止受け部２６３との係止は、係止部２６１が係止受け部２６３内に挿入されるように裏側構成体２５３と表側構成体２５４とを組み合わせ、その後に裏側構成体２５３又は表側構成体２５４の少なくとも一方をスライド移動させることにより行われる。そして、この状態で、各構成体２５３，２５４にそれぞれ形成された結合部２６５，２６６の結合を行うことにより、裏側構成体２５３と表側構成体２５４とが固定される。なお、本主制御装置２５０では、裏側構成体２５３と表側構成体２５４とを組み合わせる前の状態において、主制御基板２５１は裏側構成体２５３ではなく表側構成体２５４に固定されており、さらにその固定は破断ネジを用いて行われている。
【０２１３】
本実施の形態によれば、接着剤を用いなくても裏側構成体２５３と表側構成体２５４との固定を良好に行うことができる。そして、基板ボックス２５２にはボックス側切断部２５７が形成されているとともに、主制御基板２５１には基板側切断部２５８が形成されているため、基板ボックス２５２の内部空間の開放に関する上記第１の実施の形態における効果を奏することができる。
【０２１４】
また、本実施の形態では、主制御基板２５１は表側構成体２５４に対して破断ネジを用いて固定されているため、裏側構成体２５３と表側構成体２５４との固定を解除し、両者を分離させたとしても、ＣＰＵチップは露出しない。したがって、本構成においてＣＰＵチップの不正取得や不正交換を行うためには、主制御基板２５１等の破壊を要することとなる。
【０２１５】
（他の実施の形態）
なお、上述した各実施の形態の記載内容に限定されず、例えば次のように実施してもよい。ちなみに、以下の別形態の構成を、上記各実施の形態における構成に対して、個別に適用してもよく、相互に組み合わせて適用してもよい。
【０２１６】
（１）主制御装置の基板ボックスの変形例を、図１８（ａ），（ｂ）に示す。図１８（ａ），（ｂ）は、基板ボックス２７１，２８１の変形例を説明するための説明図である。
【０２１７】
（１−１）図１８（ａ）に示す基板ボックス２７１では、ボックス側切断部２７２が表側構成体２７３だけでなく裏側構成体２７４にも形成されている。詳細には、ボックス側切断部２７２は、裏側構成体２７４において一対の対向する縁部間に亘って形成された裏側切断部２７５と、表側構成体２７３において一対の対向する縁部間に亘って形成された表側切断部２７６と、を備えている。これら裏側切断部２７５及び表側切断部２７６は共に、基板ボックス２７１の内外に貫通した貫通孔が多数並設されて構成されている。
【０２１８】
ボックス側切断部２７２は、裏側切断部２７５と表側切断部２７６とにより、裏側構成体２７４及び表側構成体２７３の境界部分を跨いで断続的な環状となっている。また、ボックス側切断部２７２が形成された位置は、基板ボックス２７１における一方の短辺部側に偏倚された位置となっている。
【０２１９】
上記基板ボックス２７１においては、ボックス側切断部２７２をその全周に亘って切断することにより、基板ボックス２７１の内部空間が開放される。この場合に、主制御基板は、ボックス側切断部２７２をその全周に亘って切断し基板ボックス２７１の内部空間を開放した状態において、基板ボックス２７１内から抜き取り可能なように設けられている。
【０２２０】
本構成によれば、上記第１の実施の形態と同様に、基板ボックス２７１の内部空間の開放に際してはボックス側切断部２７２を切断すればよいため、裏側構成体２７４と表側構成体２７３との固定を、その固定解除を意図しない状態で行ったとしても、主制御基板などの検査の作業性が低下することが抑制される。
【０２２１】
（１−２）図１８（ｂ）に示す基板ボックス２８１では、上記第１の実施の形態と同様に、表側構成体２８２の表面構成部２８３にボックス側切断部２８４が形成されている。但し、本構成では、ボックス側切断部２８４が２重に形成されている。２重のボックス側切断部２８４のうち、内側のものは表面構成部２８３において主制御基板のＣＰＵチップ及びその周辺と対向する領域を区画するように形成されている。一方、２重のボックス側切断部２８４のうち、外側のものは表面構成部２８３において主制御基板の切除可能な領域と対向する領域よりも外側を区画するように形成されている。本構成によれば、検査の目的に応じて、２重のボックス側切断部２８４のうち一方を切断すればよい。特に、ＣＰＵチップのみの検査に際して切断を要する長さを、上記第１の実施の形態よりも短くすることができる。
【０２２２】
（２）主制御装置６３の基板ボックス９２に形成されたボックス側切断部１５１の変形例を、図１９（ａ），（ｂ）に示す。図１９（ａ），（ｂ）は、ボックス側切断部１５１の変形例を説明するための説明図である。
【０２２３】
（２−１）図１９（ａ）に示すボックス側切断部１５１は、基板ボックスの内外に貫通する貫通孔ではなく、有底の溝を形成することにより設けられている。なお、当該溝は横断面Ｖ字状に限定されることはなく、Ｕ字状であってもよい。本構成であっても、基板ボックスにボックス側切断部１５１が形成されているため、基板ボックスの内部空間の開放に関して上記第１の実施の形態と同様の効果を得ることができる。また、本構成においては、ボックス側切断部１５１にて通気口としての機能が果たされないが、ボックス側切断部１５１を通じて不正用治具を挿入しようとする行為が行われることはないため、中間構成体１０３の枠状部１３１を不具備としてもよい。
【０２２４】
（２−２）図１９（ｂ）に示すボックス側切断部１５１は、基板ボックス９２の内外に貫通する貫通孔や溝ではなく、基板ボックス９２における他の部位を構成する材料よりも強度の弱い材料を適用することにより設けられている。本構成であっても、基板ボックス９２にボックス側切断部１５１が形成されているため、基板ボックス９２の内部空間の開放に関して上記第１の実施の形態と同様の効果を得ることができる。また、本構成においては、ボックス側切断部１５１にて通気口としての機能が果たされないが、ボックス側切断部１５１を通じて不正用治具を挿入しようとする行為が行われることはないため、中間構成体１０３の枠状部１３１を不具備としてもよい。
【０２２５】
（３）主制御装置６３の基板ボックス９２における、ボックス側切断部１５１の貫通孔１５２と中間構成体１０３の枠状部１３１との位置関係の変形例を図２０に示す。図２０は、貫通孔１５２と枠状部１３１との位置関係の変形例を説明するための説明図である。
【０２２６】
図２０に示すように、中間構成体１０３は表側構成体１０２の表面構成部１２６の裏面に当接させて設けられており、中間構成体１０３の枠状部１３１はボックス側切断部１５１の貫通孔１５２を基板ボックス９２の内部空間側において閉塞している。本構成によれば、ボックス側切断部１５１にて通気口としての機能が果たされないが、ボックス側切断部１５１を通じて不正用治具を挿入しようとされた場合に基板ボックス９２の内部空間に不正用治具が入り込む前に当該不正用治具の侵入を阻止することが可能となる。
【０２２７】
（４）上記第１の実施の形態では、枠状部１３１とカバー部１３３とを有する中間構成体１０３を表側構成体１０２とは別に設けたが、これに代えて、枠状部１３１及びカバー部１３３が表側構成体１０２に一体形成された構成としてもよい。また、中間構成体１０３として枠状部１３１のみを設けるとともに、カバー部１３３を主制御基板９１に固定する構成としてもよい。また、枠状部１３１を表側構成体１０２に一体形成するとともに、カバー部１３３を主制御基板９１に固定する構成としてもよい。また、中間構成体１０３を不具備としてもよい。なお、本構成を、上記第２の実施の形態や上記第３の実施の形態に適用してもよい。
【０２２８】
（５）上記第１の実施の形態では、ボックス側切断部１５１を表側構成体１０２に形成したが、当該ボックス側切断部を裏側構成体１０１に形成してもよい。また、裏側構成体１０１において所定の領域を囲むようにしてボックス側切断部を形成するとともに、表側構成体１０２において所定の領域を囲むようにしてボックス側切断部を形成してもよい。なお、本構成を、上記第２の実施の形態や上記第３の実施の形態に適用してもよい。
【０２２９】
（６）上記第１の実施の形態では、基板側切断部１６１は枠状に形成されていたが、これに限定されることはなく、基板ボックス９２に形成された開口１５４を通じて取り出し可能な大きさの基板側除去領域１６３を分離させることができるのであれば、基板側切断部１６１の形状は任意である。なお、本構成を、上記第２の実施の形態や上記第３の実施の形態に適用してもよい。
【０２３０】
（７）中間構成体１０３の柱状連結部１３２の数や配置位置は、上記第１の実施の形態とは異なるものとしてもよい。また、柱状連結部１３２においてカバー部１３３側の根元又は枠状部１３１側の根元の少なくとも一方に、柱状連結部１３２の他の部位に比べ脆弱に形成された脆弱部を形成してもよい。この場合、柱状連結部１３２の切断作業を良好に行うことができる。なお、本構成を、上記第２の実施の形態や上記第３の実施の形態に適用してもよい。
【０２３１】
（８）上記第１の実施の形態において、ＣＰＵチップ９３や基板側除去領域１６３の検査後における仮収容の構成を不具備としてもよい。また、カバー部１３３に対して仮収容の構成を適用し、ＣＰＵチップ９３や基板側除去領域１６３の検査後において、再度カバー部１３３によりＣＰＵチップ９３を覆うことができる構成としてもよい。また、ＣＰＵチップ９３や基板側除去領域１６３の検査後における仮収容に際しては、ＣＰＵチップ９３が搭載される側の板面を裏側構成体１０１側に向けて仮収容させることを可能とする構成としてもよい。なお、本構成を、上記第２の実施の形態や上記第３の実施の形態に適用してもよい。
【０２３２】
（９）上記第１の実施の形態では、ＣＰＵ，ＲＯＭ，ＲＡＭが１チップ化されたＣＰＵチップ９３を主制御基板９１に搭載したが、これに代えて、ＲＯＭ専用の素子を主制御基板９１に搭載してもよい。この場合、少なくともそのＲＯＭ専用の素子に関して、上記第１の実施の形態における基板ボックス９２の各構成を適用するとよい。なお、本構成を、上記第２の実施の形態や上記第３の実施の形態に適用してもよい。
【０２３３】
（１０）上記第１の実施の形態において、主制御装置６３の基板ボックス９２は中間構成体１０３及びコネクタ用プレート１０４を具備しない構成とするとともに、表側構成体１０２が長孔部１２３を具備しない構成としてもよい。この場合、基板ボックス９２は一対のボックス構成体１０１，１０２から形成されることとなる。また、４個のボックス構成体ではなく、３個又は５個以上のボックス構成体を組み合わせることにより、基板ボックス９２が形成される構成としてもよい。なお、本構成を、上記第２の実施の形態や上記第３の実施の形態に適用してもよい。
【０２３４】
（１１）裏側結合部１４１及び表側結合部１４２を固定する固定具として、破断ネジ１４３に代えて、引掛け金具を用いてもよい。この場合、引掛け金具により両結合部１４１，１４２を固定した後は当該引掛け金具の抜き取りが不可となる構成とすることで、両結合部１４１，１４２の固定解除に際して両結合部１４１，１４２の破壊を要することとなる。また、裏側結合部１４１及び表側結合部１４２を固定する構成としては、上記のように固定具を用いる構成に代えて、接着剤を用いて両結合部１４１，１４２を固定する構成としてもよく、超音波や熱を用いて両結合部１４１，１４２を一体化する構成としてもよい。また、両結合部１４１，１４２を、基板ボックス９２の全ての辺に対して設けてもよい。
【０２３５】
（１２）上記第１の実施の形態では、裏側周縁部１１２と表側周縁部１２１との境界部分には接着剤を塗布するようにしたが、これに代えて、両周縁部１１２，１２１を超音波や熱を用いて一体化させてもよい。また、基板ボックス９２の全体が、当該基板ボックス９２の内部空間を規定する機能を有していてもよい。なお、本構成を、上記第２の実施の形態や上記第３の実施の形態に適用してもよい。
【０２３６】
（１３）上記第１の実施の形態において、ボックス側切断部１５１を切断してボックス側除去領域１５３を除去する場合、当該ボックス側除去領域１５３は基板ボックス９２の内部空間を開放する開口が形成されるように当初の位置から離間されるものの、表側構成体１０２に対して一部が連結されていることで、表側構成体１０２側に残る構成としてもよい。
【０２３７】
（１４）上記各実施の形態において主制御装置の基板ボックスに適用した構成を、音声ランプ制御装置６６、払出制御装置８２、電源及び発射制御装置８３といった他の制御装置に対して適用してもよい。
【０２３８】
（１５）上記各実施の形態では、外側貯留部として上皿５７ａと下皿５８ａとを備えたパチンコ機１０に本発明を適用したが、これに代えて、単一の外側貯留部を備えたパチンコ機に本発明を適用してもよい。また、停電監視装置を主制御装置６３とは別に設けることで、主制御基板９１は主制御回路２０２のみの機能を有する構成としてもよい。
【０２３９】
（１６）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０２４０】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも、本発明を適用できる。
【０２４１】
本スロットマシンは、前方に開放された箱状をなす筐体と、当該筐体の開口を塞ぐ前面扉とを備えており、筐体内に制御基板装置が収容されている。この場合に、制御基板装置の基板ボックスにおいてボックス側切断部の形成された面が前面扉を開放した場合に視認可能となるように、制御基板装置を配置することで、ボックス側切断部が切断されているか否かの確認を容易に行うことができる。
【０２４２】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【図面の簡単な説明】
【０２４３】
【図１】第１の実施の形態におけるパチンコ機の構成を示す斜視図。
【図２】遊技機本体の主要な構成を分解して示す分解斜視図。
【図３】内枠の構成を示す正面図。
【図４】遊技盤の構成を示す正面図。
【図５】内枠の構成を示す背面図。
【図６】裏パックユニットの構成を示す正面図。
【図７】主制御装置の構成を示す斜視図。
【図８】主制御装置の構成を示す表側から見た分解斜視図。
【図９】主制御装置の構成を示す裏側から見た分解斜視図。
【図１０】（ａ）基板ボックスの構成を示す縦断面図、（ｂ）基板ボックスの正面の一部を拡大して示す説明図。
【図１１】基板ボックスの内部空間が開放された状態を説明するための説明図。
【図１２】基板ボックスの内部空間が開放された状態を説明するための説明図。
【図１３】ＣＰＵチップを基板ボックス内から取り出す場合の作業の様子を説明するための説明図。
【図１４】主制御基板の基板側除去領域を基板ボックス内から取り出す場合の作業の様子を説明するための説明図。
【図１５】パチンコ機の電気的構成を示すブロック図。
【図１６】第２の実施の形態における主制御装置の構成を示す分解斜視図。
【図１７】第３の実施の形態における主制御装置の構成を示す分解斜視図。
【図１８】（ａ）別の主制御装置の構成を示す斜視図、（ｂ）別の主制御装置の構成を示す正面図。
【図１９】（ａ）別のボックス側切断部の構成を説明するための説明図、（ｂ）別のボックス側切断部の構成を説明するための説明図。
【図２０】貫通孔と枠状部との位置関係の変形例を説明するための説明図。
【符号の説明】
【０２４４】
１０…パチンコ機、６３…主制御装置、９１…主制御基板、９２…基板ボックス、９３…ＣＰＵチップ、９７…素子搭載面、１０１…裏側構成体、１０２…表側構成体、１０３…中間構成体、１０４…コネクタ用プレート、１３１…枠状部、１３２…柱状連結部、１３３…カバー部、１５１…ボックス側切断部、１５２…貫通孔、１５３…ボックス側除去領域、１５４…開口、１５５…溝部、１６１…基板側切断部、１６３…基板側除去領域、１６４…配線パターン、１６５…配線、１７１…ボックス仮固定用ボス、１７２…仮固定用貫通孔。
【図１】
0005007948.tif 000002
【図２】
0005007948.tif 000003
【図３】
0005007948.tif 000004
【図４】
0005007948.tif 000005
【図５】
0005007948.tif 000006
【図６】
0005007948.tif 000007
【図７】
0005007948.tif 000008
【図８】
0005007948.tif 000009
【図９】
0005007948.tif 000010
【図１０】
0005007948.tif 000011
【図１１】
0005007948.tif 000012
【図１２】
0005007948.tif 000013
【図１３】
0005007948.tif 000014
【図１４】
0005007948.tif 000015
【図１５】
0005007948.tif 000016
【図１６】
0005007948.tif 000017
【図１７】
0005007948.tif 000018
【図１８】
0005007948.tif 000019
【図１９】
0005007948.tif 000020
【図２０】
0005007948.tif 000021